(57)【特許請求の範囲】
【請求項１】
表示部と、
挿抜可能な電子デバイスの接続を受け付ける接続Ｉ／Ｆ部と、
ユーザにより前記電子デバイスが前記接続Ｉ／Ｆ部に挿入される挿入動作または前記電子デバイスが前記接続Ｉ／Ｆ部から抜去される抜去動作を検出する制御部と、
を備え、
前記制御部は、
前記挿入動作を検出したとき、その挿入動作によって前記接続Ｉ／Ｆ部に接続された電子デバイスに対応する表示物を、検出された前記挿入動作の方向と同一方向に移動するように前記表示部に表示させる挿入表示、または前記抜去動作を検出したとき、その抜去動作によって前記接続Ｉ／Ｆ部から抜き去られた電子デバイスに対応する表示物を、検出された前記抜去動作の方向と同一方向に移動するように前記表示部に表示させる抜去表示の少なくともいずれか一方の表示を行い、
前記電子デバイスが前記接続Ｉ／Ｆ部に接続されている向きと前記電子デバイスの種類とを示す表示絵柄を、前記表示物とともに前記表示部に表示させる
ことを特徴とする情報処理装置。
【請求項２】
表示部と、
挿抜可能な電子デバイスの接続を受け付ける接続Ｉ／Ｆ部と、
ユーザにより前記電子デバイスが前記接続Ｉ／Ｆ部に挿入される挿入動作または前記電子デバイスが前記接続Ｉ／Ｆ部から抜去される抜去動作を検出する制御部と、
を備え、
前記制御部は、
前記挿入動作を検出したとき、その挿入動作によって前記接続Ｉ／Ｆ部に接続された電子デバイスに対応する表示物を、検出された前記挿入動作の方向と同一方向に移動するように前記表示部に表示させる挿入表示、または前記抜去動作を検出したとき、その抜去動作によって前記接続Ｉ／Ｆ部から抜き去られた電子デバイスに対応する表示物を、検出された前記抜去動作の方向と同一方向に移動するように前記表示部に表示させる抜去表示の少なくともいずれか一方の表示を行い、
前記表示物を一時的に非表示にする操作を受け付けたとき、
該操作を受けた表示物を、該表示物に対応する電子デバイスを前記接続Ｉ／Ｆ部から抜去する方向と同一方向に移動させながら消去させ、かつこの消去させた該表示物に対応する電子デバイスの前記接続Ｉ／Ｆ部に接続されている状態での向きと該電子デバイスの種類とを示す対応絵柄を、前記表示部に表示させ、
前記対応絵柄の選択を受け付ける操作を検出したとき、前記対応絵柄に対応する電子デバイスが前記接続Ｉ／Ｆ部に挿入されたときの方向と同一方向に、該対応絵柄に対応する電子デバイスの前記表示物を移動させながら前記表示部に再度、表示させる
ことを特徴とする情報処理装置。
【請求項３】
表示部と、
挿抜可能な電子デバイスの接続を受け付ける接続Ｉ／Ｆ部と、
ユーザにより前記電子デバイスが前記接続Ｉ／Ｆ部に挿入される挿入動作を検出する制御部と、
を備え、
前記制御部は、前記挿入動作を検出したとき、その挿入動作によって前記接続Ｉ／Ｆ部に接続された電子デバイスに対応する表示物とともに、前記電子デバイスが前記接続Ｉ／Ｆ部に接続されている向きと前記電子デバイスの種類とを示す表示絵柄を、前記表示部に表示させる
ことを特徴とする情報処理装置。
【請求項４】
前記挿入動作を検出したとき、とは、
前記制御部が、前記接続Ｉ／Ｆ部に電子デバイスが接続されたことを検知したとき、もしくは前記接続Ｉ／Ｆ部に接続された電子デバイスは外部メモリであると認識したとき、または前記接続Ｉ／Ｆ部に接続された外部メモリに格納されたデータの種類を認識したときのいずれかである
ことを特徴とする請求項１ないし３のいずれか１項に記載の情報処理装置。
【請求項５】
前記制御部は、
前記抜去動作を検出したとき、その抜去動作によって前記接続Ｉ／Ｆ部から抜去された電子デバイスに対応する前記表示物を、前記接続Ｉ／Ｆ部から前記電子デバイスが抜去された方向と同一方向に移動させながら消去させる
ことを特徴とする請求項１ないし４のいずれか１項に記載の情報処理装置。
【請求項６】
前記制御部は、
前記電子デバイスが外部メモリであった場合、該外部メモリに格納されたデータの種類を該外部メモリに対応する前記表示物内に表示させる
ことを特徴とする請求項１ないし５のいずれか1項に記載の情報処理装置。
【請求項７】
前記接続Ｉ／Ｆ部は、前記表示部の近傍に配置されている
ことを特徴とする請求項１ないし６のいずれか1項に記載の情報処理装置。
【請求項８】
前記制御部は、
前記挿入動作に伴う前記表示物の移動終了後、該表示物を、前記電子デバイスが前記接続Ｉ／Ｆ部に挿入された移動方向の始点側に位置する前記表示部の辺に隣接するように偏せて前記表示部に表示させる
ことを特徴とする請求項１ないし７のいずれか1項に記載の情報処理装置。
【請求項９】
前記制御部は、
前記電子デバイスに対応する前記表示物を、前記挿入動作の検出時はスライドインにより、前記抜去動作の検出時はスライドアウトするように移動させる、もしくは該表示物を前記挿入動作の検出時はポップアップにより、前記抜去動作の検出時は移動させながらクローズさせる、もしくは該表示物を前記挿入動作の検出時はズームインにより、前記抜去動作を検出時はズームアウトするように移動させる
ことを特徴とする請求項１ないし８のいずれか１項に記載の情報処理装置。
【請求項１０】
前記制御部は、前記表示物を表示しているときに他の電子デバイスの挿入動作を検出したとき、前記他の電子デバイスに対応する表示物を、既に表示されている表示物の少なくとも一部の上に重ねて表示させる
ことを特徴とする請求項１ないし９のいずれか１項に記載の情報処理装置。
【請求項１１】
ユーザによって挿抜される電子デバイスの接続を受け付ける接続Ｉ／Ｆ部と、表示部とを有するコンピュータを、
電子デバイスが前記接続Ｉ／Ｆ部に挿入される挿入動作または電子デバイスが前記接続Ｉ／Ｆ部から抜去される抜去動作を検出する機能と、
前記挿入動作を検出したとき、その挿入動作によって前記接続Ｉ／Ｆ部に接続された電子デバイスに対応する表示物を、検出された前記挿入動作の方向と同一方向に移動するように前記表示部に表示させる挿入表示、または前記抜去動作を検出したとき、その抜去動作によって前記接続Ｉ／Ｆ部から抜き去られた電子デバイスに対応する表示物を、検出された前記抜去動作の方向と同一方向に移動するように前記表示部に表示させる抜去表示の少なくともいずれか一方の表示を行い、前記電子デバイスが前記接続Ｉ／Ｆ部に接続されている向きと前記電子デバイスの種類とを示す表示絵柄を、前記表示物とともに前記表示部に表示させる機能と、
を果たすように動作させる
ことを特徴とする電子デバイス挿抜表示プログラム。
【請求項１２】
ユーザによって挿抜される電子デバイスの接続を受け付ける接続Ｉ／Ｆ部と、表示部とを有するコンピュータを、
電子デバイスが前記接続Ｉ／Ｆ部に挿入される挿入動作または電子デバイスが前記接続Ｉ／Ｆ部から抜去される抜去動作を検出する機能と、
前記挿入動作を検出したとき、その挿入動作によって前記接続Ｉ／Ｆ部に接続された電子デバイスに対応する表示物を、検出された前記挿入動作の方向と同一方向に移動するように前記表示部に表示させる挿入表示、または前記抜去動作を検出したとき、その抜去動作によって前記接続Ｉ／Ｆ部から抜き去られた電子デバイスに対応する表示物を、検出された前記抜去動作の方向と同一方向に移動するように前記表示部に表示させる抜去表示の少なくともいずれか一方の表示を行い、前記表示物を一時的に非表示にする操作を受け付けたとき、該操作を受けた表示物を、該表示物に対応する電子デバイスを前記接続Ｉ／Ｆ部から抜去する方向と同一方向に移動させながら消去させ、かつこの消去させた該表示物に対応する電子デバイスの前記接続Ｉ／Ｆ部に接続されている状態での向きと該電子デバイスの種類とを示す対応絵柄を、前記表示部に表示させ、前記対応絵柄の選択を受け付ける操作を検出したとき、前記対応絵柄に対応する電子デバイスが前記接続Ｉ／Ｆ部に挿入されたときの方向と同一方向に、該対応絵柄に対応する電子デバイスの前記表示物を移動させながら前記表示部に再度、表示させる機能と、
を果たすように動作させる
ことを特徴とする電子デバイス挿抜表示プログラム。
【請求項１３】
ユーザによって挿抜される電子デバイスの接続を受け付ける接続Ｉ／Ｆ部と、表示部とを有するコンピュータを、
電子デバイスが前記接続Ｉ／Ｆ部に挿入される挿入動作を検出する機能と、
前記挿入動作を検出したとき、その挿入動作によって前記接続Ｉ／Ｆ部に接続された電子デバイスに対応する表示物とともに、前記電子デバイスが前記接続Ｉ／Ｆ部に接続されている向きと前記電子デバイスの種類とを示す表示絵柄を、前記表示部に表示させる機能と、
を果たすように動作させる
ことを特徴とする電子デバイス挿抜表示プログラム。
【請求項１４】
表示部と、
挿抜可能な電子デバイスの接続を受け付ける接続Ｉ／Ｆ部と、
ユーザにより前記電子デバイスが前記接続Ｉ／Ｆ部に挿入される挿入動作または前記電子デバイスが前記接続Ｉ／Ｆ部から抜去される抜去動作を検出する制御部と、
を備え、
前記制御部は、
前記挿入動作を検出したとき、その挿入動作によって前記接続Ｉ／Ｆ部に接続された電子デバイスに対応する表示物を、検出された前記接続Ｉ／Ｆ部の位置から前記表示部へ向かう方向に移動するように前記表示部に表示させる挿入表示、または前記抜去動作を検出したとき、その抜去動作によって前記接続Ｉ／Ｆ部から抜き去られた電子デバイスに対応する表示物を、検出された前記接続Ｉ／Ｆ部の位置から前記表示部へ向かう方向と反対方向に移動するように前記表示部に表示させる抜去表示の少なくともいずれか一方の表示を行い、
前記電子デバイスが前記接続Ｉ／Ｆ部に接続されている位置と前記電子デバイスの種類とを示す表示絵柄を、前記表示物とともに前記表示部に表示させる
ことを特徴とする情報処理装置。
【請求項１５】
表示部と、
挿抜可能な電子デバイスの接続を受け付ける接続Ｉ／Ｆ部と、
ユーザにより前記電子デバイスが前記接続Ｉ／Ｆ部に挿入される挿入動作または前記電子デバイスが前記接続Ｉ／Ｆ部から抜去される抜去動作を検出する制御部と、
を備え、
前記制御部は、
前記挿入動作を検出したとき、その挿入動作によって前記接続Ｉ／Ｆ部に接続された電子デバイスに対応する表示物を、検出された前記接続Ｉ／Ｆ部の位置から前記表示部へ向かう方向に移動するように前記表示部に表示させる挿入表示、または前記抜去動作を検出したとき、その抜去動作によって前記接続Ｉ／Ｆ部から抜き去られた電子デバイスに対応する表示物を、検出された前記接続Ｉ／Ｆ部の位置から前記表示部へ向かう方向と反対方向に移動するように前記表示部に表示させる抜去表示の少なくともいずれか一方の表示を行い、
前記表示物を一時的に非表示にする操作を受け付けたとき、
該操作を受けた表示物を、該表示物に対応する電子デバイスを前記接続Ｉ／Ｆ部の位置から前記表示部へ向かう方向と反対方向に移動させながら消去させ、かつこの消去させた該表示物に対応する電子デバイスの前記接続Ｉ／Ｆ部に接続されている状態での位置と該電子デバイスの種類とを示す対応絵柄を、前記表示部に表示させ、
前記対応絵柄の選択を受け付ける操作を検出したとき、前記対応絵柄に対応する電子デバイスが挿入された前記接続Ｉ／Ｆ部の位置から前記表示部へ向かう方向に、該対応絵柄に対応する電子デバイスの前記表示物を移動させながら前記表示部に再度、表示させる
ことを特徴とする情報処理装置。
【請求項１６】
前記挿入動作を検出したとき、とは、
前記制御部が、前記接続Ｉ／Ｆ部に電子デバイスが接続されたことを検知したとき、もしくは前記接続Ｉ／Ｆ部に接続された電子デバイスは外部メモリであると認識したとき、または前記接続Ｉ／Ｆ部に接続された外部メモリに格納されたデータの種類を認識したときのいずれかである
ことを特徴とする請求項１４または１５に記載の情報処理装置。
【請求項１７】
前記制御部は、
前記抜去動作を検出したとき、その抜去動作によって前記接続Ｉ／Ｆ部から抜去された電子デバイスに対応する前記表示物を、前記接続Ｉ／Ｆ部の位置から前記表示部へ向かう方向と反対方向に移動させながら消去させる
ことを特徴とする請求項１４ないし１６のいずれか１項に記載の情報処理装置。
【請求項１８】
前記制御部は、
前記電子デバイスが外部メモリであった場合、該外部メモリに格納されたデータの種類を該外部メモリに対応する前記表示物内に表示させる
ことを特徴とする請求項１４ないし１７のいずれか１項に記載の情報処理装置。
【請求項１９】
前記接続Ｉ／Ｆ部は、前記表示部の近傍に配置されている
ことを特徴とする請求項１４ないし１８のいずれか１項に記載の情報処理装置。
【請求項２０】
前記制御部は、
前記挿入動作に伴う前記表示物の移動終了後、該表示物を、その表示物の移動方向の始点側に位置する前記表示部の辺に隣接するように偏せて前記表示部に表示させる
ことを特徴とする請求項１４ないし１９のいずれか１項に記載の情報処理装置。
【請求項２１】
前記制御部は、
前記電子デバイスに対応する前記表示物を、前記挿入動作の検出時はスライドインにより、前記抜去動作の検出時はスライドアウトするように移動させる、もしくは該表示物を前記挿入動作の検出時はポップアップにより、前記抜去動作の検出時は移動させながらクローズさせる、もしくは該表示物を前記挿入動作の検出時はズームインにより、前記抜去動作を検出時はズームアウトするように移動させる
ことを特徴とする請求項１４ないし２０のいずれか１項に記載の情報処理装置。
【請求項２２】
前記制御部は、前記表示物を表示しているときに他の電子デバイスの挿入動作を検出したとき、前記他の電子デバイスに対応する表示物を、既に表示されている表示物の少なくとも一部の上に重ねて表示させる
ことを特徴とする請求項１４ないし２１のいずれか１項に記載の情報処理装置。
【請求項２３】
ユーザによって挿抜される電子デバイスの接続を受け付ける接続Ｉ／Ｆ部と、表示部とを有するコンピュータを、
電子デバイスが前記接続Ｉ／Ｆ部に挿入される挿入動作または電子デバイスが前記接続Ｉ／Ｆ部から抜去される抜去動作を検出する機能と、
前記挿入動作を検出したとき、その挿入動作によって前記接続Ｉ／Ｆ部に接続された電子デバイスに対応する表示物を、検出された前記接続Ｉ／Ｆ部の位置から前記表示部へ向かう方向に移動するように前記表示部に表示させる挿入表示、または前記抜去動作を検出したとき、その抜去動作によって前記接続Ｉ／Ｆ部から抜き去られた電子デバイスに対応する表示物を、検出された前記接続Ｉ／Ｆ部の位置から前記表示部へ向かう方向と反対方向に移動するように前記表示部に表示させる抜去表示の少なくともいずれか一方の表示を行う機能と、
前記電子デバイスが前記接続Ｉ／Ｆ部に接続されている位置と前記電子デバイスの種類とを示す表示絵柄を、前記表示物とともに前記表示部に表示させる機能と、
を果たすように動作させる
ことを特徴とする電子デバイス挿抜表示プログラム。
【請求項２４】
ユーザによって挿抜される電子デバイスの接続を受け付ける接続Ｉ／Ｆ部と、表示部とを有するコンピュータを、
電子デバイスが前記接続Ｉ／Ｆ部に挿入される挿入動作または電子デバイスが前記接続Ｉ／Ｆ部から抜去される抜去動作を検出する機能と、
前記挿入動作を検出したとき、その挿入動作によって前記接続Ｉ／Ｆ部に接続された電子デバイスに対応する表示物を、検出された前記接続Ｉ／Ｆ部の位置から前記表示部へ向かう方向に移動するように前記表示部に表示させる挿入表示、または前記抜去動作を検出したとき、その抜去動作によって前記接続Ｉ／Ｆ部から抜き去られた電子デバイスに対応する表示物を、検出された前記接続Ｉ／Ｆ部の位置から前記表示部へ向かう方向と反対方向に移動するように前記表示部に表示させる抜去表示の少なくともいずれか一方の表示を行う機能と、
前記表示物を一時的に非表示にする操作を受け付けたとき、該操作を受けた表示物を、該表示物に対応する電子デバイスを前記接続Ｉ／Ｆ部の位置から前記表示部へ向かう方向と反対方向に移動させながら消去させ、かつこの消去させた該表示物に対応する電子デバイスの前記接続Ｉ／Ｆ部に接続されている状態での位置と該電子デバイスの種類とを示す対応絵柄を、前記表示部に表示させ、前記対応絵柄の選択を受け付ける操作を検出したとき、前記対応絵柄に対応する電子デバイスが挿入された前記接続Ｉ／Ｆ部の位置から前記表示部へ向かう方向に、該対応絵柄に対応する電子デバイスの前記表示物を移動させながら前記表示部に再度、表示させる機能と、
を果たすように動作させる
ことを特徴とする電子デバイス挿抜表示プログラム。
【発明の詳細な説明】
【技術分野】
【０００１】
本発明は、情報処理装置に係り、特に、電子デバイスの接続を受け付ける電子デバイス接続Ｉ／Ｆ部を有する情報処理装置に関する。
【背景技術】
【０００２】
近年、情報処理装置の多機能化が進み、情報処理装置に外部記憶媒体（外部メモリ）を接続し、その外部メモリに保存できる記憶容量を情報処理装置の記憶容量の一部として利用できる機能がある。その際、たとえば、情報処理装置とその周辺機器との間でデータを転送するインターフェースの規格のひとつとして、ＵＳＢ（Universal Serial Bus）インターフェース規格が知られている。
【０００３】
ＵＳＢインターフェース規格に準拠した製品は、その製品に設けられたＵＳＢコネクタを情報処理装置に接続することにより、情報処理装置とデータ通信が可能となる。そのため、ユーザは、情報処理装置にＵＳＢインターフェース規格に準拠したメモリ（これをＵＳＢメモリという。）を接続すると、情報処理装置にＵＳＢメモリがマウントされて、ＵＳＢメモリに記憶されたファイルやデータを取り扱うことができる。
【０００４】
ここで、ＵＳＢメモリが情報処理装置に接続されたとき、そのＵＳＢメモリに記憶されたファイルやデータを読み込むか否かを操作画面上で確認する情報処理装置が開示されている（特許文献１参照）。
【０００５】
たとえば、特許文献１に関する画像形成装置では、ＵＳＢメモリが画像形成装置に装填されると、そのＵＳＢメモリに記憶されたファイル等をユーザが利用することができる旨を示すメッセージの表示と、そのＵＳＢメモリが画像形成装置に装填されていることを示すアイコンの表示を行い、ユーザがメニュー操作を行うことによって、ＵＳＢメモリに記憶されたファイルのファイルリストを表示する。
【０００６】
図１８は、一般的な画像形成装置にＵＳＢメモリが装填されたときに表示される表示画面の一例である。図１８に示す表示画面９００には、「外部メモリが接続されました。ボックス機能の[システム]から[外部メモリ]が使用できます」と表示されている。また、タスクバーには、ＵＳＢメモリを使用することができることを示すアイコン９６０が表示されている。
【０００７】
図１９は、図１８に示した一般的な画像形成装置に装填されたＵＳＢメモリに記憶されたファイルリストの表示画面９１０である。ファイルリストには、ＵＳＢメモリに記憶されているファイルの名称と更新日付とが示されている。ユーザは、ファイルリストから任意のファイルを選択することにより、そのファイルを印刷したり閲覧することができる。なお、タスクバーにあるアイコン９６０は、現在、画像形成装置にＵＳＢメモリが接続されていることを示している。
【０００８】
図２０は、一般的な情報処理装置に表示されるタスクバーである。一般的な情報処理装置では、ＵＳＢメモリの接続の有無を、アイコン表示の有無によりユーザに通知する。たとえば、図２０（Ａ）に示すタスクバー９２０は、ＵＳＢメモリが情報処理装置に接続される前の状態を示している。ＵＳＢメモリが接続される前の状態では、タスクバー９２０にＵＳＢメモリが接続されていることを示すアイコンは表示されていない。図２０（Ｂ）に示すタスクバー９３０は、ＵＳＢメモリが情報処理装置に接続されている状態を示している。タスクバー９３０には、ＵＳＢメモリが情報処理装置に接続されている状態を示すアイコン９４０が表示されている。
【０００９】
ここで、接続されたＵＳＢメモリを情報処理装置から取り外す場合には、ユーザは、アイコン９４０上にマウスを移動させ、左ボタンを用いてクリックする。アイコン９４０がクリックされると、接続されているＵＳＢメモリの一覧が表示され、ユーザが取り外したいＵＳＢメモリをこの一覧の中から選択すると、情報処理装置から選択されたＵＳＢメモリが取り外し可能となる。図２０（Ｃ）のタスクバー９７０は、選択されたＵＳＢメモリが情報処理装置から取り外し可能な状態になった旨をユーザに示している。タスクバー９７０は、アイコン９５０の近傍に、ＵＳＢメモリが情報処理装置から取り外しが可能になった旨を表示している。
【先行技術文献】
【特許文献】
【００１０】
【特許文献１】特開２００６−１０７３７７号公報
【発明の概要】
【発明が解決しようとする課題】
【００１１】
ところで、特許文献１に記載された情報処理装置は、ＵＳＢメモリの接続有無を、所定のアイコンをタスクバーの中に表示するか否かでユーザに通知していた。このため、ユーザは、外部メモリを外部メモリＩ／Ｆ部に接続したとき、複数の外部メモリＩ／Ｆ部のうちのどのＩ／Ｆ部に外部メモリを接続したか、あるいは外部メモリを外部メモリＩ／Ｆ部から外したとき、複数の外部メモリＩ／Ｆ部のうちのどのＩ／Ｆ部から外部メモリを取り外したかが分かりづらかった。また、外部メモリＩ／Ｆ部に接続されている外部メモリの一覧を表示することにより外部メモリを選択可能としているが、情報処理装置のどのＩ／Ｆ部に外部メモリが接続されているのか、ユーザにとって直感的に分かりづらかった。
【００１２】
本発明は、上記の問題を解決しようとするものであり、ユーザによって接続Ｉ／Ｆ部に挿抜された電子デバイスと、表示画面内に表示される表示物との対応関係をユーザに直感的に分かりやすく表示することができる情報処理装置および電子デバイス挿抜表示プログラムを提供することを目的としている。
【課題を解決するための手段】
【００１３】
かかる目的を達成するための本発明の要旨とするところは、次の各項の発明に存する。
【００１４】
［１］表示部と、
挿抜可能な電子デバイスの接続を受け付ける接続Ｉ／Ｆ部と、
ユーザにより前記電子デバイスが前記接続Ｉ／Ｆ部に挿入される挿入動作または前記電子デバイスが前記接続Ｉ／Ｆ部から抜去される抜去動作を検出する制御部と、
を備え、
前記制御部は、
前記挿入動作を検出したとき、その挿入動作によって前記接続Ｉ／Ｆ部に接続された電子デバイスに対応する表示物を、検出された前記挿入動作の方向と同一方向に移動するように前記表示部に表示させる挿入表示、または前記抜去動作を検出したとき、その抜去動作によって前記接続Ｉ／Ｆ部から抜き去られた電子デバイスに対応する表示物を、検出された前記抜去動作の方向と同一方向に移動するように前記表示部に表示させる抜去表示の少なくともいずれか一方の表示を行い、
前記電子デバイスが前記接続Ｉ／Ｆ部に接続されている向きと前記電子デバイスの種類とを示す表示絵柄を、前記表示物とともに前記表示部に表示させる
ことを特徴とする情報処理装置。
【００１５】
上記発明では、制御部は、電子デバイスの挿入動作または抜去動作を検出したとき、その電子デバイスに対応する表示物を、検出された挿入動作または抜去動作と同一方向に移動するように表示させる。たとえば、接続Ｉ／Ｆ部に電子デバイスが右から左方向に挿入された場合には、その電子デバイスに対応する表示物を表示部上で右から左に移動させ、接続Ｉ／Ｆ部に電子デバイスが左から右方向に挿入された場合には、その電子デバイスに対応する表示物を表示部上で左から右に移動させる。また、制御部は、電子デバイスが接続Ｉ／Ｆ部に接続されていることを示す表示絵柄を表示部に表示させる。なお、その表示絵柄を表示部に表示させるタイミングは限定されるものではない。たとえば、制御部は、表示絵柄を表示物と同時に表示させてもよく、表示物の移動完了後や、または表示物よりも先に表示させてもよい。
［２］表示部と、
挿抜可能な電子デバイスの接続を受け付ける接続Ｉ／Ｆ部と、
ユーザにより前記電子デバイスが前記接続Ｉ／Ｆ部に挿入される挿入動作または前記電子デバイスが前記接続Ｉ／Ｆ部から抜去される抜去動作を検出する制御部と、
を備え、
前記制御部は、
前記挿入動作を検出したとき、その挿入動作によって前記接続Ｉ／Ｆ部に接続された電子デバイスに対応する表示物を、検出された前記挿入動作の方向と同一方向に移動するように前記表示部に表示させる挿入表示、または前記抜去動作を検出したとき、その抜去動作によって前記接続Ｉ／Ｆ部から抜き去られた電子デバイスに対応する表示物を、検出された前記抜去動作の方向と同一方向に移動するように前記表示部に表示させる抜去表示の少なくともいずれか一方の表示を行い、
前記表示物を一時的に非表示にする操作を受け付けたとき、
該操作を受けた表示物を、該表示物に対応する電子デバイスを前記接続Ｉ／Ｆ部から抜去する方向と同一方向に移動させながら消去させ、かつこの消去させた該表示物に対応する電子デバイスの前記接続Ｉ／Ｆ部に接続されている状態での向きと該電子デバイスの種類とを示す対応絵柄を、前記表示部に表示させ、
前記対応絵柄の選択を受け付ける操作を検出したとき、前記対応絵柄に対応する電子デバイスが前記接続Ｉ／Ｆ部に挿入されたときの方向と同一方向に、該対応絵柄に対応する電子デバイスの前記表示物を移動させながら前記表示部に再度、表示させる
ことを特徴とする情報処理装置。
［３］表示部と、
挿抜可能な電子デバイスの接続を受け付ける接続Ｉ／Ｆ部と、
ユーザにより前記電子デバイスが前記接続Ｉ／Ｆ部に挿入される挿入動作を検出する制御部と、
を備え、
前記制御部は、前記挿入動作を検出したとき、その挿入動作によって前記接続Ｉ／Ｆ部に接続された電子デバイスに対応する表示物とともに、前記電子デバイスが前記接続Ｉ／Ｆ部に接続されている向きと前記電子デバイスの種類とを示す表示絵柄を、前記表示部に表示させる
ことを特徴とする情報処理装置。
【００１６】
［４］前記挿入動作を検出したとき、とは、
前記制御部が、前記接続Ｉ／Ｆ部に電子デバイスが接続されたことを検知したとき、もしくは前記接続Ｉ／Ｆ部に接続された電子デバイスは外部メモリであると認識したとき、または前記接続Ｉ／Ｆ部に接続された外部メモリに格納されたデータの種類を認識したときのいずれかである
ことを特徴とする［１］ないし［３］のいずれか１項に記載の情報処理装置。
【００１７】
上記発明では、挿入動作の検出について、３つの状態を定義している。１つ目は、接続Ｉ／Ｆ部に電子デバイスが接続されたことを検知したとき（電子デバイスの種類を判別する判別処理により電子デバイスの判別結果が出る前）、２つ目は、接続Ｉ／Ｆ部に接続された電子デバイスは外部メモリであると認識したとき、３つ目は、接続Ｉ／Ｆ部に接続された外部メモリに格納されたデータの種類を認識したときである。制御部は、これらの状態を検出したとき、その電子デバイスに対応する表示物を、その電子デバイスが接続Ｉ／Ｆ部に挿入された方向と同一方向に移動しながら表示部に出現させる。
【００１８】
［５］前記制御部は、
前記抜去動作を検出したとき、その抜去動作によって前記接続Ｉ／Ｆ部から抜去された電子デバイスに対応する前記表示物を、前記接続Ｉ／Ｆ部から前記電子デバイスが抜去された方向と同一方向に移動させながら消去させる
ことを特徴とする［１］ないし［４］のいずれか１項に記載の情報処理装置。
【００１９】
上記発明では、制御部は、抜去動作を検出したとき、接続Ｉ／Ｆ部から抜去された電子デバイスに対応する表示物を、その電子デバイスが抜去された方向と同一方向に移動しながら表示部から消去させる。
【００２４】
［６］前記制御部は、
前記電子デバイスが外部メモリであった場合、該外部メモリに格納されたデータの種類を該外部メモリに対応する前記表示物内に表示させる
ことを特徴とする［１］ないし[５]のいずれか1項に記載の情報処理装置。
【００２５】
上記発明では、制御部は、電子デバイスが外部メモリであった場合、外部メモリに格納されているデータの種類を識別する。たとえば、外部メモリに格納されているデータが、制御部が取り扱うことのできるデータの形式であるならば、制御部は、そのデータの種類を表示物に表示する。なお、データの種類の表示はファイル名の拡張子に限定されるものではない。
【００２６】
［７］前記接続Ｉ／Ｆ部は、前記表示部の近傍に配置されている
ことを特徴とする［１］ないし[６]のいずれか1項に記載の情報処理装置。
【００２７】
上記発明では、接続Ｉ／Ｆ部は、表示部の近傍に配置されている。したがって、ユーザは、表示部を見ながら接続Ｉ／Ｆ部に電子デバイスを挿入したり抜去したりすることができ、挿抜動作に係る電子デバイスと、これに対応する表示物とが、より容易に視覚的に関連付けられ、より直感的に分かりやすくなる。
【００２８】
［８］前記制御部は、
前記挿入動作に伴う前記表示物の移動終了後、該表示物を、前記電子デバイスが前記接続Ｉ／Ｆ部に挿入された移動方向の始点側に位置する前記表示部の辺に隣接するように偏せて前記表示部に表示させる
ことを特徴とする［１］ないし[７]のいずれか1項に記載の情報処理装置。
【００２９】
上記発明では、制御部は、移動が終了した表示物を、電子デバイスが挿入された移動方向と反対側の方向（すなわち移動方向の始点側）の表示部の辺に偏せて表示する。したがって、ユーザは、表示物の移動が停止した後も、どの表示物がどの方向から挿入された電子デバイスに対する表示物であるかを認識することができる。
【００３０】
［９］前記制御部は、
前記電子デバイスに対応する前記表示物を、前記挿入動作の検出時はスライドインにより、前記抜去動作の検出時はスライドアウトするように移動させる、もしくは該表示物を前記挿入動作の検出時はポップアップにより、前記抜去動作の検出時は移動させながらクローズさせる、もしくは該表示物を前記挿入動作の検出時はズームインにより、前記抜去動作を検出時はズームアウトするように移動させる
ことを特徴とする［１］ないし[８]のいずれか１項に記載の情報処理装置。
【００３１】
上記発明では、制御部は、外部メモリに対応する表示物に対し、スラインドイン／スライドアウトを用いた移動、ポップアップ／クローズを用いた移動、またはズームイン／ズームアウトを用いた移動を行わせる。
【００３２】
［１０］前記制御部は、前記表示物を表示しているときに他の電子デバイスの挿入動作を検出したとき、前記他の電子デバイスに対応する表示物を、既に表示されている表示物の少なくとも一部の上に重ねて表示させる
ことを特徴とする［１］ないし［９］のいずれか１項に記載の情報処理装置。
［１１］ユーザによって挿抜される電子デバイスの接続を受け付ける接続Ｉ／Ｆ部と、表示部とを有するコンピュータを、
電子デバイスが前記接続Ｉ／Ｆ部に挿入される挿入動作または電子デバイスが前記接続Ｉ／Ｆ部から抜去される抜去動作を検出する機能と、
前記挿入動作を検出したとき、その挿入動作によって前記接続Ｉ／Ｆ部に接続された電子デバイスに対応する表示物を、検出された前記挿入動作の方向と同一方向に移動するように前記表示部に表示させる挿入表示、または前記抜去動作を検出したとき、その抜去動作によって前記接続Ｉ／Ｆ部から抜き去られた電子デバイスに対応する表示物を、検出された前記抜去動作の方向と同一方向に移動するように前記表示部に表示させる抜去表示の少なくともいずれか一方の表示を行い、前記電子デバイスが前記接続Ｉ／Ｆ部に接続されている向きと前記電子デバイスの種類とを示す表示絵柄を、前記表示物とともに前記表示部に表示させる機能と、
を果たすように動作させる
ことを特徴とする電子デバイス挿抜表示プログラム。
【００３３】
上記発明は、[１]の情報処理装置に対応した電子デバイス挿抜表示プログラムである。
［１２］ユーザによって挿抜される電子デバイスの接続を受け付ける接続Ｉ／Ｆ部と、表示部とを有するコンピュータを、
電子デバイスが前記接続Ｉ／Ｆ部に挿入される挿入動作または電子デバイスが前記接続Ｉ／Ｆ部から抜去される抜去動作を検出する機能と、
前記挿入動作を検出したとき、その挿入動作によって前記接続Ｉ／Ｆ部に接続された電子デバイスに対応する表示物を、検出された前記挿入動作の方向と同一方向に移動するように前記表示部に表示させる挿入表示、または前記抜去動作を検出したとき、その抜去動作によって前記接続Ｉ／Ｆ部から抜き去られた電子デバイスに対応する表示物を、検出された前記抜去動作の方向と同一方向に移動するように前記表示部に表示させる抜去表示の少なくともいずれか一方の表示を行い、前記表示物を一時的に非表示にする操作を受け付けたとき、該操作を受けた表示物を、該表示物に対応する電子デバイスを前記接続Ｉ／Ｆ部から抜去する方向と同一方向に移動させながら消去させ、かつこの消去させた該表示物に対応する電子デバイスの前記接続Ｉ／Ｆ部に接続されている状態での向きと該電子デバイスの種類とを示す対応絵柄を、前記表示部に表示させ、前記対応絵柄の選択を受け付ける操作を検出したとき、前記対応絵柄に対応する電子デバイスが前記接続Ｉ／Ｆ部に挿入されたときの方向と同一方向に、該対応絵柄に対応する電子デバイスの前記表示物を移動させながら前記表示部に再度、表示させる機能と、
を果たすように動作させる
ことを特徴とする電子デバイス挿抜表示プログラム。
［１３］ユーザによって挿抜される電子デバイスの接続を受け付ける接続Ｉ／Ｆ部と、表示部とを有するコンピュータを、
電子デバイスが前記接続Ｉ／Ｆ部に挿入される挿入動作を検出する機能と、
前記挿入動作を検出したとき、その挿入動作によって前記接続Ｉ／Ｆ部に接続された電子デバイスに対応する表示物とともに、前記電子デバイスが前記接続Ｉ／Ｆ部に接続されている向きと前記電子デバイスの種類とを示す表示絵柄を、前記表示部に表示させる機能と、
を果たすように動作させる
ことを特徴とする電子デバイス挿抜表示プログラム。
【００３４】
［１４］表示部と、
挿抜可能な電子デバイスの接続を受け付ける接続Ｉ／Ｆ部と、
ユーザにより前記電子デバイスが前記接続Ｉ／Ｆ部に挿入される挿入動作または前記電子デバイスが前記接続Ｉ／Ｆ部から抜去される抜去動作を検出する制御部と、
を備え、
前記制御部は、
前記挿入動作を検出したとき、その挿入動作によって前記接続Ｉ／Ｆ部に接続された電子デバイスに対応する表示物を、検出された前記接続Ｉ／Ｆ部の位置から前記表示部へ向かう方向に移動するように前記表示部に表示させる挿入表示、または前記抜去動作を検出したとき、その抜去動作によって前記接続Ｉ／Ｆ部から抜き去られた電子デバイスに対応する表示物を、検出された前記接続Ｉ／Ｆ部の位置から前記表示部へ向かう方向と反対方向に移動するように前記表示部に表示させる抜去表示の少なくともいずれか一方の表示を行い、
前記電子デバイスが前記接続Ｉ／Ｆ部に接続されている位置と前記電子デバイスの種類とを示す表示絵柄を、前記表示物とともに前記表示部に表示させる
ことを特徴とする情報処理装置。
【００３５】
上記発明では、制御部は、電子デバイスの挿抜動作を検出したとき、その電子デバイスに対応する表示物を、接続Ｉ／Ｆ部の位置から表示部のある方向に移動するように表示させる。たとえば、表示部の右側に設けられた接続Ｉ／Ｆ部に電子デバイスが挿入された場合には、その電子デバイスに対応する表示物を表示部上で右から左に移動させ、表示部の左側に設けられた接続Ｉ／Ｆ部に電子デバイスが挿入された場合には、その電子デバイスに対応する表示物を表示部上で左から右に移動させる。この場合、制御部は、電子デバイスが接続Ｉ／Ｆ部に挿抜動作された向きを問わず、電子デバイスが挿抜された接続Ｉ／Ｆ部の表示部に対する位置を基準にして、その電子デバイスに対応する表示物の移動方向を決定する。また上記発明では、制御部は、電子デバイスが接続Ｉ／Ｆ部に接続されていることを示す表示絵柄を表示部に表示させる。また、その表示絵柄は、対応する電子デバイスが接続されている接続Ｉ／Ｆ部の位置とその電子デバイスの種類とを表示する。なお、その表示絵柄を表示部に表示させるタイミングは限定されるものではない。たとえば、制御部は、表示絵柄を表示物と同時に表示させてもよく、表示物の移動完了後や、または表示物よりも先に表示させてもよい。
［１５］表示部と、
挿抜可能な電子デバイスの接続を受け付ける接続Ｉ／Ｆ部と、
ユーザにより前記電子デバイスが前記接続Ｉ／Ｆ部に挿入される挿入動作または前記電子デバイスが前記接続Ｉ／Ｆ部から抜去される抜去動作を検出する制御部と、
を備え、
前記制御部は、
前記挿入動作を検出したとき、その挿入動作によって前記接続Ｉ／Ｆ部に接続された電子デバイスに対応する表示物を、検出された前記接続Ｉ／Ｆ部の位置から前記表示部へ向かう方向に移動するように前記表示部に表示させる挿入表示、または前記抜去動作を検出したとき、その抜去動作によって前記接続Ｉ／Ｆ部から抜き去られた電子デバイスに対応する表示物を、検出された前記接続Ｉ／Ｆ部の位置から前記表示部へ向かう方向と反対方向に移動するように前記表示部に表示させる抜去表示の少なくともいずれか一方の表示を行い、
前記表示物を一時的に非表示にする操作を受け付けたとき、
該操作を受けた表示物を、該表示物に対応する電子デバイスを前記接続Ｉ／Ｆ部の位置から前記表示部へ向かう方向と反対方向に移動させながら消去させ、かつこの消去させた該表示物に対応する電子デバイスの前記接続Ｉ／Ｆ部に接続されている状態での位置と該電子デバイスの種類とを示す対応絵柄を、前記表示部に表示させ、
前記対応絵柄の選択を受け付ける操作を検出したとき、前記対応絵柄に対応する電子デバイスが挿入された前記接続Ｉ／Ｆ部の位置から前記表示部へ向かう方向に、該対応絵柄に対応する電子デバイスの前記表示物を移動させながら前記表示部に再度、表示させる
ことを特徴とする情報処理装置。
上記発明では、制御部は、表示物を一時的に非表示にする操作を受け付けたとき、該表示物を移動しながら消去させ、代わりに、該表示物に対応する電子デバイスが接続Ｉ／Ｆ部に接続されていることを示す対応絵柄を表示させる。また、制御部は、該表示物を消去させる場合、該接続Ｉ／Ｆ部の位置から表示部へ向かう方向と反対方向に表示物を移動しながら消去させる。そして、対応絵柄がユーザによって選択された場合には、制御部は、該対応絵柄に対応する電子デバイスが挿入された接続Ｉ／Ｆ部の位置から表示部へ向かう方向に、該対応絵柄に対応する電子デバイスの表示物を移動しながら表示部に再度表示させる。
【００３６】
［１６］前記挿入動作を検出したとき、とは、
前記制御部が、前記接続Ｉ／Ｆ部に電子デバイスが接続されたことを検知したとき、もしくは前記接続Ｉ／Ｆ部に接続された電子デバイスは外部メモリであると認識したとき、または前記接続Ｉ／Ｆ部に接続された外部メモリに格納されたデータの種類を認識したときのいずれかである
ことを特徴とする［１４］または［１５］に記載の情報処理装置。
【００３７】
上記発明では、挿入動作の検出について、３つの状態を定義している。１つ目は、接続Ｉ／Ｆ部に電子デバイスが接続されたことを検知したとき（電子デバイスの種類を判別する判別処理により電子デバイスの種類の判別結果が出る前）、２つ目は、接続Ｉ／Ｆ部に接続された電子デバイスは外部メモリであると認識したとき、３つ目は、接続Ｉ／Ｆ部に接続された外部メモリに格納されたデータの種類を認識したときである。制御部は、これらの状態を検出したとき、接続Ｉ／Ｆ部に接続された電子デバイスに対応する表示物を、該接続Ｉ／Ｆ部の位置から表示部の存する方向に移動しながら表示部に出現させる。
【００３８】
［１７］前記制御部は、
前記抜去動作を検出したとき、その抜去動作によって前記接続Ｉ／Ｆ部から抜去された電子デバイスに対応する前記表示物を、前記接続Ｉ／Ｆ部の位置から前記表示部へ向かう方向と反対方向に移動させながら消去させる
ことを特徴とする［１４］ないし[１６]のいずれか１項に記載の情報処理装置。
【００３９】
上記発明では、制御部は、抜去動作を検出したとき、接続Ｉ／Ｆ部から抜去された電子デバイスに対応する表示物を、その接続Ｉ／Ｆ部の位置から表示部へ向かう方向と反対方向に移動しながら表示部から消去させる。
【００４４】
［１８］前記制御部は、
前記電子デバイスが外部メモリであった場合、該外部メモリに格納されたデータの種類を該外部メモリに対応する前記表示物内に表示させる
ことを特徴とする［１４］ないし[１７]のいずれか１項に記載の情報処理装置。
【００４５】
上記発明では、制御部は、電子デバイスが外部メモリであった場合、外部メモリに格納されているデータの種類を識別する。たとえば、外部メモリに格納されているデータが、制御部が取り扱うことのできるデータの形式であるならば、制御部は、そのデータの種類を表示物に表示する。なお、データの種類の表示はファイル名の拡張子に限定されるものではない。
【００４６】
［１９］前記接続Ｉ／Ｆ部は、前記表示部の近傍に配置されている
ことを特徴とする［１４］ないし[１８]のいずれか１項に記載の情報処理装置。
【００４７】
上記発明では、接続Ｉ／Ｆ部は、表示部の近傍に配置されている。したがって、ユーザは、表示部を見ながら接続Ｉ／Ｆ部に電子デバイスを挿入したり抜去したりすることができ、挿抜動作に対応する電子デバイスと、これに対応する表示物とが、より容易に視覚的に関連付けられ、より直感的に分かりやすくなる。
【００４８】
［２０］前記制御部は、
前記挿入動作に伴う前記表示物の移動終了後、該表示物を、その表示物の移動方向の始点側に位置する前記表示部の辺に隣接するように偏せて前記表示部に表示させる
ことを特徴とする［１４］ないし[１９]のいずれか１項に記載の情報処理装置。
【００４９】
上記発明では、制御部は、移動が終了した表示物を、接続Ｉ／Ｆ部側から表示部へ向かう移動方向と反対方向（すなわち移動方向の始点側）に位置する表示部の辺に偏せて表示する。したがって、ユーザは、表示物の移動が停止した後も、表示部に対してどの位置に存する接続Ｉ／Ｆ部の表示物であるかを容易に認識することができる。
【００５０】
［２１］前記制御部は、
前記電子デバイスに対応する前記表示物を、前記挿入動作の検出時はスライドインにより、前記抜去動作の検出時はスライドアウトするように移動させる、もしくは該表示物を前記挿入動作の検出時はポップアップにより、前記抜去動作の検出時は移動させながらクローズさせる、もしくは該表示物を前記挿入動作の検出時はズームインにより、前記抜去動作を検出時はズームアウトするように移動させる
ことを特徴とする［１４］ないし[２０]のいずれか１項に記載の情報処理装置。
【００５１】
上記発明では、制御部は、外部メモリに対応する表示物に対し、スラインドイン／スライドアウトを用いた移動、ポップアップ／クローズを用いた移動、またはズームイン／ズームアウトを用いた移動を行わせる。
［２２］前記制御部は、前記表示物を表示しているときに他の電子デバイスの挿入動作を検出したとき、前記他の電子デバイスに対応する表示物を、既に表示されている表示物の少なくとも一部の上に重ねて表示させる
ことを特徴とする［１４］ないし［２１］のいずれか１項に記載の情報処理装置。
【００５２】
［２３］ユーザによって挿抜される電子デバイスの接続を受け付ける接続Ｉ／Ｆ部と、表示部とを有するコンピュータを、
電子デバイスが前記接続Ｉ／Ｆ部に挿入される挿入動作または電子デバイスが前記接続Ｉ／Ｆ部から抜去される抜去動作を検出する機能と、
前記挿入動作を検出したとき、その挿入動作によって前記接続Ｉ／Ｆ部に接続された電子デバイスに対応する表示物を、検出された前記接続Ｉ／Ｆ部の位置から前記表示部へ向かう方向に移動するように前記表示部に表示させる挿入表示、または前記抜去動作を検出したとき、その抜去動作によって前記接続Ｉ／Ｆ部から抜き去られた電子デバイスに対応する表示物を、検出された前記接続Ｉ／Ｆ部の位置から前記表示部へ向かう方向と反対方向に移動するように前記表示部に表示させる抜去表示の少なくともいずれか一方の表示を行う機能と、
前記電子デバイスが前記接続Ｉ／Ｆ部に接続されている位置と前記電子デバイスの種類とを示す表示絵柄を、前記表示物とともに前記表示部に表示させる機能と、
を果たすように動作させる
ことを特徴とする電子デバイス挿抜表示プログラム。
【００５３】
上記発明は、[１４]の情報処理装置に対応した電子デバイス挿抜表示プログラムである。
［２４］ユーザによって挿抜される電子デバイスの接続を受け付ける接続Ｉ／Ｆ部と、表示部とを有するコンピュータを、
電子デバイスが前記接続Ｉ／Ｆ部に挿入される挿入動作または電子デバイスが前記接続Ｉ／Ｆ部から抜去される抜去動作を検出する機能と、
前記挿入動作を検出したとき、その挿入動作によって前記接続Ｉ／Ｆ部に接続された電子デバイスに対応する表示物を、検出された前記接続Ｉ／Ｆ部の位置から前記表示部へ向かう方向に移動するように前記表示部に表示させる挿入表示、または前記抜去動作を検出したとき、その抜去動作によって前記接続Ｉ／Ｆ部から抜き去られた電子デバイスに対応する表示物を、検出された前記接続Ｉ／Ｆ部の位置から前記表示部へ向かう方向と反対方向に移動するように前記表示部に表示させる抜去表示の少なくともいずれか一方の表示を行う機能と、
前記表示物を一時的に非表示にする操作を受け付けたとき、該操作を受けた表示物を、該表示物に対応する電子デバイスを前記接続Ｉ／Ｆ部の位置から前記表示部へ向かう方向と反対方向に移動させながら消去させ、かつこの消去させた該表示物に対応する電子デバイスの前記接続Ｉ／Ｆ部に接続されている状態での位置と該電子デバイスの種類とを示す対応絵柄を、前記表示部に表示させ、前記対応絵柄の選択を受け付ける操作を検出したとき、前記対応絵柄に対応する電子デバイスが挿入された前記接続Ｉ／Ｆ部の位置から前記表示部へ向かう方向に、該対応絵柄に対応する電子デバイスの前記表示物を移動させながら前記表示部に再度、表示させる機能と、
を果たすように動作させる
ことを特徴とする電子デバイス挿抜表示プログラム。
【発明の効果】
【００５４】
本発明に係る情報処理装置および電子デバイス挿抜表示プログラムによれば、ユーザによって接続Ｉ／Ｆ部に挿抜された電子デバイスと、表示画面内に表示される表示物との対応関係をユーザに直感的に分かりやすく表示することができる。
【図面の簡単な説明】
【００５５】
【図１】本発明の第１の実施の形態に係る画像処理装置（ＭＦＰ）のブロック図である。
【図２】ＵＳＢメモリの挿入方向が右から左であり、ＵＳＢメモリの抜去方向が左から右となる外部メモリＩ／Ｆ部にＵＳＢメモリを挿抜した場合の表示例である。
【図３】「ｄｏｃｕｍｅｎｔ．ｐｄｆ」というファイルを印刷する場合の表示画面の表示例である。
【図４】関連情報画面の一時消去と再生を表示する表示例である。
【図５】画像処理装置の外部メモリＩ／Ｆ部に、左から右方向へＳＤカードを挿抜した場合の表示例である。
【図６】液晶表示部に対して下側の位置に設けられた外部メモリＩ／Ｆ部に、ＵＳＢメモリを下から上方向へ挿抜した場合の表示例である。
【図７】液晶表示部の右側の位置に設けられた外部メモリＩ／Ｆ部に、右から左方向へＵＳＢメモリを挿抜した場合の表示例である。
【図８】複数のメモリデバイスのそれぞれに対応する関連情報画面を操作表示部に表示する場合の表示例である。
【図９】ＵＳＢメモリが外部メモリＩ／Ｆ部に挿入され、関連情報画面を表示するまでの処理の流れを示した流れ図である。
【図１０】ＵＳＢメモリに記憶されたファイルに対して処理を実行させる場合の処理の流れを示した流れ図である。
【図１１】ＵＳＢメモリが外部メモリＩ／Ｆ部から抜去されたときの処理の流れを示した流れ図である。
【図１２】図４（Ａ）の状態で関連情報画面上のアイコン（図４）がユーザによって選択されたときの処理の流れを示した流れ図である。
【図１３】液晶表示部に対して右側に位置する外部メモリＩ／Ｆ部にＵＳＢメモリを挿入した場合の表示例である。
【図１４】液晶表示部の右下に設けられた外部メモリＩ／Ｆ部にＵＳＢメモリを挿入した場合の表示例である。
【図１５】接続されたデバイスがメモリデバイスであるとＣＰＵが判別した後、関連情報画面を移動させながら表示する表示例である。
【図１６】デバイスが外部メモリＩ／Ｆ部に挿入され、接続されたデバイスがメモリデバイスであると判別した後に、関連情報画面を表示するまでの処理の流れを示した流れ図である。
【図１７】接続されたメモリデバイスに記憶されたデータの形式を特定した後、関連情報画面を表示する場合の処理の流れを示した流れ図である。
【図１８】一般的な画像形成装置にＵＳＢメモリが装填されたときに表示される表示画面の一例である。
【図１９】図１８に示した一般的な画像形成装置に装填されたＵＳＢメモリに記憶されたファイルリストの表示画面である。
【図２０】一般的な情報処理装置に表示されるタスクバーを示した説明図である。
【発明を実施するための形態】
【００５６】
以下、図面に基づき本発明の実施の形態を説明する。
【００５７】
＜第１の実施の形態＞
図１は、本発明の第１の実施の形態に係る画像処理装置（ＭＦＰ）１００のブロック図を示している。画像処理装置１００は、外部メモリ（電子デバイス）２００の接続を受け付けて、その接続された外部メモリ２００に記憶されているファイルやデータの印刷処理を実行する機能を有している。
【００５８】
図１に示す画像処理装置１００は、画像処理装置１００の全体動作を司り各種ジョブの実行を制御するＣＰＵ（Central Processing Unit）１０と、画像処理部２０と、不揮発メモリ３０と、ネットワーク通信部４０と、ＲＯＭ（Read Only Memory）５０と、ＲＡＭ（Random Access Memory）６０と、プリンタ部７０と、操作表示部８０と、複数の外部メモリＩ／Ｆ（Interface）部９０とを備えている。また、ＣＰＵ１０は、内部バス１１０を介して全ての構成要素と接続されている。
【００５９】
画像処理部２０は、ＣＰＵ１０によって動作が制御されている。たとえば、画像処理部２０は、画像の拡大縮小、回転などの処理のほか、印刷データをイメージデータに変換するラスタライズ処理、画像データの圧縮、伸張処理などを行う。
【００６０】
不揮発メモリ３０は、電源がオフされても記憶内容が破壊されないメモリ（フラッシュメモリ）である。不揮発メモリ３０には、ユーザ情報や各種設定値などが記憶されている。
【００６１】
ネットワーク通信部４０は、ＬＡＮ（Local Area Network）を通じて、外部に接続された情報処理装置（図示せず）やサーバ（図示せず）などの外部装置と各種データの送受信を行う。たとえば、ネットワーク通信部４０は、ＬＡＮを介して外部に接続された情報処理装置からデータ（ファイル）を受信する。
【００６２】
ＲＯＭ５０には、各種のプログラムが格納されており、これらのプログラムに従ってＣＰＵ１０が処理を実行することで、ジョブの実行といった画像処理装置１００の各機能が実現される。ＲＡＭ６０は、ＣＰＵ１０がプログラムを実行する際に各種のデータを一時的に格納するワークメモリや画像データを格納する画像メモリなどとして使用される。
【００６３】
プリンタ部７０は、画像データに応じた画像を印刷用紙上に形成する機能を果たす。ここでは、プリンタ部７０は、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成の方式は他の方式でもかまわない。
【００６４】
操作表示部８０は、表示部と操作部を備えて構成される。表示部は、液晶ディスプレイ（ＬＣＤ…Liquid Crystal Display）などで構成され、各種の操作画面、設定画面などを表示する機能を果たす。操作部は、ユーザからジョブの投入や設定など各種の操作を受け付ける機能を果たす。なお、操作部は、表示部の画面上に設けられて押下された座標位置を検出するタッチパネルのほか、テンキーや文字入力キー、スタートキーなどを備えて構成される。なお、操作表示部８０のうち、様々な表示画面を表示するための物理的な表示領域を液晶表示部３００とする。
【００６５】
外部メモリＩ／Ｆ部（接続Ｉ／Ｆ部）９０は、画像処理装置１００にＵＳＢ（Universal Serial Bus）メモリやＳＤメモリーカード（Secure Digital memory card）などの外部メモリ２００を接続するための接続口や接続端子および接続された電子デバイスとデータを授受するためのインターフェース回路で構成される。また、外部メモリＩ／Ｆ部９０は、ＵＳＢインターフェース規格をはじめＳＤメモリーカードなどの複数種類の外部メモリに対応すべく、複数種類の接続口や接続端子を有している。
【００６６】
なお、本実施の形態では、外部メモリＩ／Ｆ部９０は、操作表示部８０の近傍（液晶表示部３００の周辺）に設けられている。たとえば、ＵＳＢメモリの接続端子は、液晶表示部３００の周辺に４つ設けられており、そのうち２つは液晶表示部３００に対して右側の位置に設けられている。残りの２つは、液晶表示部３００に対して下側の位置と右下の位置に設けられている。
【００６７】
液晶表示部３００に対して右側の位置に設けられたＵＳＢメモリの接続端子の１つでは、図面上の見た向きで、右から左方向に挿入動作を行い、左から右方向に抜去動作を行うようになっている。また、液晶表示部３００に対して右側の位置に設けられたもう１つのＵＳＢメモリの接続端子では、図面上の見た向きで、下から上方向に挿入動作を行い、上から下方向に抜去動作を行うようになっている。また、液晶表示部３００に対して下側の位置に設けられたＵＳＢメモリの接続端子では、図面上の見た向きで、下から上方向に挿入動作を行い、上から下方向に抜去動作を行うようになっている。また、液晶表示部３００に対して右下の位置に設けられたＵＳＢメモリの接続端子では、図面上の見た向きで、下から上方向に挿入動作を行い、上から下方向に抜去動作を行うようになっている。
【００６８】
また、本実施の形態では、ＳＤカードの接続端子も備えている。ＳＤカードの接続端子は、液晶表示部３００に対して左側の位置に設けられている。このＳＤカードの接続端子では、左から右方向にＳＤカードを挿入し、右から左方向に抜去動作を行うようになっている。なお、各外部メモリＩ／Ｆ部９０に割り当てられたＩＤ（Identify）と、各ＩＤに対応する外部メモリＩ／Ｆ部９０の位置情報および各ＩＤに対応する外部メモリＩ／Ｆ部９０の接続端子の向き情報は、不揮発メモリ３０のデバイステーブルに予め登録されている。
【００６９】
＜第１の実施の形態の全体説明＞
第１の実施の形態では、ＣＰＵ１０は、外部メモリＩ／Ｆ部９０に外部メモリ２００が挿入される挿入動作、または外部メモリＩ／Ｆ部９０から外部メモリ２００が抜去される抜去動作を検出すると、外部メモリＩ／Ｆ部９０に接続された外部メモリ２００、もしくは抜き去られたその外部メモリ２００に関連する画面（これを関連情報画面（表示物）ともいう。）を、その挿抜動作の方向と同一方向に移動するように液晶表示部３００に表示する。ここで、挿抜動作とは、外部メモリＩ／Ｆ部９０に外部メモリ２００を挿入動作または抜去動作を行うことをいう。
【００７０】
なお、本実施の形態では、画像処理装置１００を用いて本発明を説明するが、本実施の形態はこれに限らず、ＣＰＵ１０と、操作表示部８０と、複数の外部メモリＩ／Ｆ部９０とを備えた情報処理装置などであればよい。
【００７１】
＜ＵＳＢメモリの挿抜動作時の移動表示＞
図２は、ＵＳＢメモリ２１０の挿入方向が右から左方向であり、ＵＳＢメモリ２１０の抜去方向が左から右方向である外部メモリＩ／Ｆ部９０に、ＵＳＢメモリ２１０を挿抜した場合の表示例である。図２では、ＵＳＢメモリ２１０が外部メモリＩ／Ｆ部９０に右から左方向に挿入されると、ＣＰＵ１０は、その外部メモリＩ／Ｆ部９０にＵＳＢメモリ２１０が挿入されたことを検出し、その外部メモリＩ／Ｆ部９０に割り当てられたＩＤを特定する。そして、ＣＰＵ１０は、特定したＩＤに基づいて、その外部メモリＩ／Ｆ部９０の接続端子の向き情報を、不揮発メモリ３０のデバイステーブルから取得する。また、ＣＰＵ１０は、外部メモリＩ／Ｆ部９０へのＵＳＢメモリ２１０の接続を検出すると、その接続の検出されたＵＳＢメモリ２１０に対応する関連情報画面を生成して、その関連情報画面にＩＤを割り当てる。ＣＰＵ１０は、接続の検出された外部メモリＩ／Ｆ部９０のＩＤと、生成した関連情報画面４００のＩＤとを対応付けて記憶する。
【００７２】
ＣＰＵ１０は、デバイステーブルから取得した外部メモリＩ／Ｆ部９０の接続端子の向き情報に基づいて、外部メモリＩ／Ｆ部９０にデバイスが挿入された方向に、その外部メモリＩ／Ｆ部９０のＩＤと対応付けられた関連情報画面のＩＤに対応する関連情報画面４００を、右から左方向に移動するようにスライドインさせて表示する。その後、ユーザがＵＳＢメモリ２１０を外部メモリＩ／Ｆ部９０から抜去すると、ＣＰＵ１０は、関連情報画面４００を左から右方向へ移動するようにスライドアウトさせて消去する。なお、ＵＳＢメモリ２１０が挿入された外部メモリＩ／Ｆ部９０の位置は、液晶表示部３００に対して右側の位置に設けられた外部メモリＩ／Ｆ部９０とする。
【００７３】
ここで、スライドインとは、たとえば、ＵＳＢメモリ２１０の挿入方向が右から左方向の場合、液晶表示部３００の右端から左方向へ移動しながら液晶表示部３００内に出現するように関連情報画面４００を表示させる表示形態のことをいう。一方、スライドアウトとは、たとえば、ＵＳＢメモリ２１０の抜去方向が左から右方向の場合、液晶表示部３００上で右方向へ移動しながら液晶表示部３００の右端へ没入して消去するように関連情報画面４００を表示させる表示形態のことをいう。
【００７４】
なお、ここでは、スライドインの進行方向は、ＵＳＢメモリ２１０が外部メモリＩ／Ｆ部９０に挿入された向きとし、スライドアウトの進行方向は、ＵＳＢメモリ２１０が外部メモリＩ／Ｆ部９０から抜去された向きとする。
【００７５】
図２について詳述すると、図２（Ａ）は、ＵＳＢメモリ２１０が外部メモリＩ／Ｆ部９０に右から左方向に向かって挿入される様子を示している。ＵＳＢメモリ２１０が外部メモリＩ／Ｆ部９０に接続されると、ＣＰＵ１０は、ＵＳＢメモリ２１０に対応する関連情報画面４００の表示を開始する。図２（Ａ）では、関連情報画面４００が液晶表示部３００の右端から出現し始めている。
【００７６】
図２（Ｂ）は、液晶表示部３００の右端から関連情報画面４００がスライドインしている様子を示している。関連情報画面４００には、ＵＳＢメモリ２１０に記憶されているフォルダ名やファイル名は、まだ記載されていない。
【００７７】
図２（Ｃ）は、液晶表示部３００上で関連情報画面４００の移動が完了し、関連情報画面４００が停止した状態を示している。ＣＰＵ１０は、スライドインの完了時に、関連情報画面４００の右端部が液晶表示部３００の右側の辺に隣接し、かつ関連情報画面４００が液晶表示部３００の右側の辺に偏せて停止するように表示する。ＣＰＵ１０は、関連情報画面４００の移動を完了させると、ＵＳＢメモリ２１０に関連したデータ（情報表示領域４１０）を関連情報画面４００に表示する。
【００７８】
また、図２（Ｃ）に示す関連情報画面４００には、情報表示領域４１０と、「Ｐｒｉｎｔ」ボタン４２０と、「Ｖｉｅｗ」ボタン４３０と、「Ｄｅｌｅｔｅ」ボタン４４０と、「Ｃｌｏｓｅ」ボタン４５０と、アイコン４６０（表示絵柄）とが設けられている。
【００７９】
情報表示領域４１０には、「０＿ｔｅｓｔ」という名前のフォルダ７００と、「ｄｏｃｕｍｅｎｔ．ｐｄｆ」という名前のファイル７１０と、「ｐｏｔｏ１．ｐｄｆ」という名前のファイル７２０とが表示されている。「Ｐｒｉｎｔ」ボタン４２０は、たとえば、情報表示領域４１０に記載された「ｄｏｃｕｍｅｎｔ．ｐｄｆ」という名前のファイル７１０に対し、印刷を実行するためのボタンである。「Ｖｉｅｗ」ボタン４３０は、たとえば、「ｐｏｔｏ１．ｐｄｆ」という名前のファイル７２０に対し、閲覧表示を実行するためのボタンである。「Ｄｅｌｅｔｅ」ボタン４４０は、たとえば、情報表示領域４１０に記載されたファイル７１０やファイル７２０を、ＵＳＢメモリ２１０から削除するためのボタンである。「Ｃｌｏｓｅ」ボタン４５０は、現在ユーザが見ている関連情報画面４００を閉じるための実行ボタンである。
【００８０】
アイコン４６０は、ＵＳＢメモリ２１０が外部メモリＩ／Ｆ部９０に対して、左向きに挿入されたことと、その外部メモリＩ／Ｆ部９０に挿入された外部メモリがＵＳＢメモリであるという種類を示している。具体的には、ＵＳＢメモリ２１０を模した図柄を表示し、その接続端子を挿入方向前方に向けることで、ＵＳＢメモリの挿入方向を表している。
【００８１】
ユーザは、情報表示領域４１０に表示された所望のファイルを選択して所望の実行ボタンを押下操作すると、ＣＰＵ１０は、そのファイルに対して、押下操作された実行ボタンの機能を実行する。
【００８２】
また、ユーザがＵＳＢメモリ２１０を外部メモリＩ／Ｆ部９０から抜去すると、ＣＰＵ１０は、ＵＳＢメモリ２１０が外部メモリＩ／Ｆ部９０から抜去されたことを検出し、抜去動作の検出された外部メモリＩ／Ｆ部９０を特定する。そして、ＣＰＵ１０は、その外部メモリＩ／Ｆ部９０に割り当てられていたＩＤを取得する。ＣＰＵ１０は、そのＩＤに基づいて、不揮発メモリ３０のデバイステーブルからその外部メモリＩ／Ｆ部９０の接続端子の向き情報を再度取得して、その抜去動作に対応する関連情報画面４００の移動方向を決定する。
【００８３】
ＣＰＵ１０は、抜去動作の検出された外部メモリＩ／Ｆ部９０のＩＤに対応付けられた関連情報画面のＩＤに基づいて、移動表示を行う関連情報画面を特定する。ＣＰＵ１０は、その特定した関連情報画面４００を、先ほど決定した移動方向（ＵＳＢメモリ２１０が抜去された方向（すなわち右方向））に移動させながら消去する。具体的には、ＣＰＵ１０は、ＵＳＢメモリ２１０が抜去された方向（右方向）に、関連情報画面４００を液晶表示部３００からスライドアウトして消去する（図２（Ｃ）、図２（Ｂ）、図２（Ａ）の順番で表示が変化する。）。
【００８４】
＜印刷処理の実行＞
次に、ＵＳＢメモリ２１０に記憶された任意のファイルの印刷処理を実行する場合について説明する。
【００８５】
図３は、「ｄｏｃｕｍｅｎｔ．ｐｄｆ」という名前のファイル７１０を印刷する場合の表示画面の表示例である。なお、図３（Ａ）は、図２（Ｃ）と同じ状態を示している。
【００８６】
図３（Ｂ）は、図３（Ａ）で示した情報表示領域４１０において、「ｄｏｃｕｍｅｎｔ．ｐｄｆ」という名前のファイル７１０がユーザによって選択された状態を示している。図３（Ｃ）は、その後、ユーザが、「Ｐｒｉｎｔ」ボタン４２０を押下操作した状態を示している。このように、ユーザは、情報表示領域４１０上に表示された任意のファイルを選択して、「Ｐｒｉｎｔ」ボタン４２０を押下操作することにより、任意のファイルの印刷処理を実行することができる。
【００８７】
＜関連情報画面の一時消去と再生処理＞
次に、関連情報画面４００を液晶表示部３００上で閉じる場合の動作について説明する。
【００８８】
図４は、関連情報画面４００の一時消去と再生を表示する表示例である。なお、図４（Ａ）は、図２（Ｃ）と同じ状態を示している。
【００８９】
図４（Ｂ）は、図４（Ａ）の状態で、ユーザによってアイコン４６０が選択され、ＵＳＢメモリ２１０が外部メモリＩ／Ｆ部９０に挿入された方向と反対方向に、関連情報画面４００を移動しながら液晶表示部３００から関連情報画面４００を消去する状態を示した表示例である。図４（Ｂ）では、ユーザによってアイコン４６０が選択されたことにより、関連情報画面４００が右方向に移動を開始しており、液晶表示部３００から関連情報画面４００がスライドアウトしていく状態を示している。
【００９０】
図４（Ｃ）は、関連情報画面４００の移動が完了して、液晶表示部３００から関連情報画面４００が消去された状態の表示例である。図４（Ｃ）では、液晶表示部３００から関連情報画面４００が消去された代わりに、アイコン６３０（対応絵柄）が液晶表示部３００に表示されている。
【００９１】
アイコン６３０は、ＵＳＢメモリ２１０を模した図柄を表示し、その接続端子を挿入方向前方に向けることで、ＵＳＢメモリ２１０の挿入方向を表している。なお、図４（Ｃ）のアイコン６３０は、図４（Ａ）のアイコン４６０と同一であってもよく、また状態に応じて色合いを変更するなど、アイコン４６０と区別するようにしてもよい。
【００９２】
また、ユーザがアイコン６３０を押下操作して、ＣＰＵ１０が液晶表示部３００上でアイコン６３０が押下されたことを検出すると、ＣＰＵ１０は、ＵＳＢメモリ２１０が挿入された方向（すなわち左方向）に、関連情報画面４００を移動しながら液晶表示部３００上に再出現し始めるように表示する。具体的には、ＣＰＵ１０は、ＵＳＢメモリ２１０が挿入された方向（右から左方向）に、関連情報画面４００を液晶表示部３００にスライドインするように表示する（図４（Ｃ）、図４（Ｂ）、図４（Ａ）の順番で表示が変化する。）。
【００９３】
＜左から右方向にメモリデバイスを挿抜する場合の移動表示＞
次に、メモリデバイスの挿入方向が左から右方向であり、メモリデバイスの抜去方向が右から左方向である外部メモリＩ／Ｆ部９０にメモリデバイスを挿抜する場合について説明する。ここでは、ＵＳＢメモリ２１０の代わりに、メモリデバイスとして、ＤＣＦ（Design rule for Camera File system）形式のファイルが記憶されたＳＤメモリーカード（以下、これをＳＤカードともいう。）を挿抜する場合について説明する。なお、ＳＤカード２２０の外部メモリＩ／Ｆ部９０の接続端子は、液晶表示部３００に対して左側の位置に設けられており、その外部メモリＩ／Ｆ部９０にＳＤカード２２０の挿抜動作が行われることとする。
【００９４】
図５は、画像処理装置１００の外部メモリＩ／Ｆ部９０に、左から右方向へＳＤカードを挿抜した場合の表示例である。図５では、ＳＤカード２２０が液晶表示部３００に対して左側の位置に設けられた外部メモリＩ／Ｆ部９０に左から右方向に挿入されると、ＣＰＵ１０は、関連情報画面４７０を液晶表示部３００に左端から右方向へスライドインさせ、また、ＳＤカード２２０を外部メモリＩ／Ｆ部９０から抜去すると、関連情報画面４７０を左方向へ移動させ、液晶表示部３００の左側から消え去るようにスライドアウトさせる。
【００９５】
関連情報画面４７０は、図５（Ａ）、図５（Ｂ）、図５（Ｃ）の順に移動しながら液晶表示部３００に表示される。また、関連情報画面４７０には、ＳＤカード２２０に記憶されている画像ファイルがサムネイル画像４７５により表示されている。図５（Ｃ）は、液晶表示部３００上で関連情報画面４７０の移動が完了し、関連情報画面４７０が停止した状態を示している。図５（Ｃ）の関連情報画面４７０が図２（Ｃ）の関連情報画面４００と異なる点は、移動表示する際の進行方向が異なる点と、情報表示領域４８０に表示されるファイルがサムネイル画像によって表示される点と、アイコン４９０がＳＤカード２２０に対応したアイコンで表示される点である。それ以外は、図２と同様である。
【００９６】
なお、サムネイル画像４７５が情報表示領域４８０に表示されるタイミングについては、別途説明する。
【００９７】
＜バルーンポップアップによる移動表示＞
次に、図６を例に、バルーンポップアップにて関連情報画面５００を出現させる表示例について説明する。ここでは、ＦＷ（FirmWare）更新用データが保存されたＵＳＢメモリ２３０を、液晶表示部３００の下側の位置に設けられた外部メモリＩ／Ｆ部９０の接続端子に挿抜する場合を例とする。
【００９８】
図６は、液晶表示部３００に対して下側の位置に設けられた外部メモリＩ／Ｆ部９０に、ＵＳＢメモリ２３０を下から上方向へ挿抜した場合の表示例である。図６では、ＵＳＢメモリ２３０が外部メモリＩ／Ｆ部９０に挿入されると、ＣＰＵ１０は、関連情報画面５００をバルーンポップアップによって移動しながら表示させ、また、ＵＳＢメモリ２３０をその外部メモリＩ／Ｆ部９０から抜去すると、関連情報画面５００を移動しながら消去させる。なお、バルーンポップアップとは、バルーンを膨らますように関連情報画面５００をゆっくり表示させるものとする。なお、関連情報画面５００を消去する際は、バルーンポップアップの動作と反対の動作となるように、バルーンをしぼませる表示を行ってもよく、またバルーンがはじけるようにクローズする形態であってもよい。
【００９９】
関連情報画面５００は、図６（Ａ）、図６（Ｂ）、図６（Ｃ）の順に移動しながら液晶表示部３００に表示される。図６（Ｃ）は、液晶表示部３００内で関連情報画面５００の移動が完了し、関連情報画面５００が停止した状態を示している。図６（Ｃ）の関連情報画面５００が図２（Ｃ）の関連情報画面４００と異なる点は、移動表示がバルーンポップアップである点と、情報表示領域５１０に表示されるファイルがＦＷ更新用であるため、ＵＳＢメモリ２３０に記憶されたファイルを更新する「Ｕｐｄａｔｅ」ボタン５２０ボタンを有している点である。なお、アイコン４６５は、ＵＳＢメモリ２３０に対応して、ＵＳＢメモリ２３０を模した図柄を表示し、その接続端子を挿入方向前方に向けることでＵＳＢメモリの挿入方向を示している。それ以外は、図２と同様である。また、「Ｃｌｏｓｅ」ボタン５３０は、「Ｃｌｏｓｅ」ボタン４５０（図２）と同等の機能を有するボタンである。
【０１００】
＜ポップアップ／クローズによる移動表示＞
次に、関連情報画面をポップアップとクローズにより、移動しながら液晶表示部３００へ出現させたり液晶表示部３００から消去する場合について説明する。
【０１０１】
図７は、液晶表示部３００の右側の位置に設けられた外部メモリＩ／Ｆ部９０に、右から左方向へＵＳＢメモリ２１０を挿抜した場合の表示例である。図７では、液晶表示部３００の右側の位置に設けられた外部メモリＩ／Ｆ部９０にＵＳＢメモリ２１０を挿入すると、ＣＰＵ１０は、関連情報画面６００をポップアップ表示させた後、拡大しながら左方向に移動させ、また、ＵＳＢメモリ２１０をその外部メモリＩ／Ｆ部９０から抜去すると、関連情報画面６００を縮小させながら右方向に移動させ、液晶表示部３００から関連情報画面６００を消去させる。
【０１０２】
ここで、ポップアップとは、液晶表示部３００に表示されているウィンドウとは異なる別のウィンドウとして、関連情報画面６００を出現させる形態のことをいう。また、消去の際は、関連情報画面６００を縮小しながら移動させた後、関連情報画面６００を液晶表示部３００から消去してもよく、また関連情報画面６００をクローズさせて消去する形態であってもよい。
【０１０３】
関連情報画面６００は、図７（Ａ）、図７（Ｂ）、図７（Ｃ）の順に拡大移動しながら液晶表示部３００に表示される。図７の関連情報画面６００が図２の関連情報画面４００と異なる点は、関連情報画面６００をポップアップ表示させた後、液晶表示部３００の右辺を基準に左方向に関連情報画面６００を拡大しながら表示させる点である。それ以外は、図２と同様である。また、情報表示領域６１０は、情報表示領域４１０（図２）と同等の機能を有する領域であり、アイコン６２０は、アイコン４６０（図２）と同様の機能を有するアイコンである。
【０１０４】
＜複数のメモリデバイスを挿抜した際の移動表示＞
次に、ある一つの外部メモリに対応する関連情報画面を表示した後、さらに他の外部メモリに対応する関連情報画面を重ねて液晶表示部３００に表示させる場合について説明する。
【０１０５】
図８は、複数のメモリデバイスのそれぞれに対応する関連情報画面を液晶表示部３００に表示する場合の表示例である。画像処理装置１００の外部メモリＩ／Ｆ部９０は、前述したように、複数種類のメモリデバイスの接続端子を有している。図８の例では、液晶表示部３００の右側に設けられた外部メモリＩ／Ｆ部９０にＵＳＢメモリ２１０を接続し、液晶表示部３００の左側に設けられた外部メモリＩ／Ｆ部９０にＳＤカード２２０を接続することとする。
【０１０６】
図８（Ａ）は、液晶表示部３００の右から左方向へＵＳＢメモリ２１０が既に挿入されており、さらに液晶表示部３００の左から右方向へＳＤカード２２０が挿入された状態を示した表示例である。図８（Ａ）では、ＳＤカード２２０が外部メモリＩ／Ｆ部９０に右方向へ挿入されて、関連情報画面４７０が少し移動を開始し始めている。
【０１０７】
図８（Ｂ）は、図８（Ａ）の状態から、関連情報画面４７０がさらに右方向へ移動した移動途中の状態を示した表示例である。図８（Ｂ）では、ＵＳＢメモリ２１０に対応する関連情報画面４００上に、ＳＤカード２２０に対応する関連情報画面４７０が重ねて表示されている。関連情報画面４７０は、情報表示領域４８０を有しており、情報表示領域４８０とともに液晶表示部３００の左側から右方向にスライドインしている。
【０１０８】
本例では、後から挿入されたＳＤカード２２０の関連情報画面４７０は、すでに表示されている関連情報画面４００の上に重ねるように表示される。これは、後から挿入されたメモリデバイスに記憶されているファイル名やデータの種類をユーザは見たいと考えていると思われるため、ＣＰＵ１０は、後から操作されたユーザの挿抜動作に対応したＳＤカード２２０の関連情報画面４７０を、液晶表示部３００上で上位に表示される画面となるように表示する。
【０１０９】
図８（Ｃ）は、関連情報画面４７０の移動が完了し、関連情報画面４７０が停止した状態を示す表示例である。図８（Ｃ）では、関連情報画面４００上にＳＤカード２２０に対応する関連情報画面４７０が重ねて表示され、ＳＤカード２２０に記憶されているファイルがサムネイル画像によって表示されている。また、関連情報画面４７０は、関連情報画面４７０の左端部が液晶表示部３００の左側の辺に隣接し、かつ関連情報画面４７０が液晶表示部３００の左側の辺に偏せて表示されている。また、関連情報画面４００は、関連情報画面４００の右端部が液晶表示部３００の右側の辺に隣接し、かつ関連情報画面４００が液晶表示部３００の右側の辺に偏せて表示されている。
【０１１０】
すなわち、本例では、各関連情報画面は、それぞれの進行方向と反対方向の辺が液晶表示部３００の内側の辺に隣接するように各関連情報画面が偏せて配置され、かつ各関連情報画面の進行方向に位置する液晶表示部３００の辺に、関連情報画面が接触しないように配置される。したがって、複数のメモリデバイスが外部メモリＩ／Ｆ部９０に挿入されても、全てが隠れてしまうことがない。そのため、ユーザは、挿入されているデバイスの関連情報画面の一部をみることができるので、外部メモリＩ／Ｆ部９０に接続されている複数のメモリデバイスを認識することができる。
【０１１１】
このように、本例では、画像処理装置１００が複数の外部メモリＩ／Ｆ部９０を備え、複数のメモリデバイスを画像処理装置１００に接続することができ、外部メモリＩ／Ｆ部９０に挿抜されたメモリデバイスに対応するそれぞれの関連情報画面を、挿抜されたメモリデバイスごとに液晶表示部３００に表示することができるので、挿抜されたデバイスを関連情報画面４００の移動表示によって、ユーザに容易に認識させることができる。
【０１１２】
なお、外部メモリＩ／Ｆ部９０からＳＤカード２２０を抜去した場合は、ＣＰＵ１０は、関連情報画面４７０を、図８（Ｃ）、図８（Ｂ）、図８（Ａ）の順に左方向に移動させながら、液晶表示部３００の左側からスライドアウトさせて消去する。そして、ＣＰＵ１０は、外部メモリＩ／Ｆ部９０にＵＳＢメモリ２１０のみが挿入されている図２（Ｃ）の状態を表示する。
【０１１３】
＜デバイスの挿入動作時の処理＞
次に、ＵＳＢメモリ２１０が外部メモリＩ／Ｆ部９０に挿入され、関連情報画面４００を表示するまでの動作を流れ図で説明する。
【０１１４】
なお、図２の表示例を参考に、挿入方向が右から左方向であり、抜去方向が左から右方向となる外部メモリＩ／Ｆ部９０に、ＵＳＢメモリ２１０が挿抜動作される場合の動作について説明する。この場合、たとえば、ユーザは、液晶表示部３００に対して右側に設けられた外部メモリＩ／Ｆ部９０に、ＵＳＢメモリ２１０の挿抜動作を実施する。
【０１１５】
図９は、ＵＳＢメモリ２１０が外部メモリＩ／Ｆ部９０に挿入され、関連情報画面４００を表示するまでの処理の流れを示している。まず、ＣＰＵ１０は、外部メモリＩ／Ｆ部９０にデバイス（電子デバイス）が接続されることを監視しており、外部メモリＩ／Ｆ部９０にデバイスが接続されたことを検出した場合は（ステップＳ１０１；Ｙｅｓ）、接続の検出された外部メモリＩ／Ｆ部９０を特定し、その外部メモリＩ／Ｆ部９０に割り当てられたＩＤを取得する。ＣＰＵ１０は、このＩＤに基づいて、その外部メモリＩ／Ｆ部９０の接続端子の向き情報を、不揮発メモリ３０のデバイステーブルから取得する。また、ＣＰＵ１０は、外部メモリＩ／Ｆ部９０へのデバイスの接続を検出すると、そのデバイスに対応する関連情報画面を生成して、その関連情報画面にＩＤを割り当てる。ＣＰＵ１０は、接続の検出された外部メモリＩ／Ｆ部９０のＩＤと、生成した関連情報画面４００のＩＤとを対応付けて記憶する。
【０１１６】
そして、ＣＰＵ１０は、不揮発メモリ３０から取得した接続端子の向き情報に基づいて、外部メモリＩ／Ｆ部９０にデバイスが挿入された方向に、その外部メモリＩ／Ｆ部９０のＩＤと対応付けられた関連情報画面のＩＤに対応する関連情報画面４００を移動させながら液晶表示部３００上に表示（出現）させる（ステップＳ１０２）。ＣＰＵ１０は、外部メモリＩ／Ｆ部９０に接続されたデバイスの種類を確認し（ステップＳ１０３）、外部メモリＩ／Ｆ部９０に接続されたデバイスがメモリデバイスでない場合は（ステップＳ１０４；Ｎｏ）、関連情報画面４００の移動が完了するまで待った後（ステップＳ１０９；Ｙｅｓ）、画像処理装置１００では取り扱いができない旨を情報表示領域４１０に表示する（ステップＳ１１０）。この場合、メモリデバイスでないデバイスとは、たとえば、マウスやモデムなどが該当する。
【０１１７】
外部メモリＩ／Ｆ部９０に接続されたデバイスがメモリデバイスの場合は（ステップＳ１０４；Ｙｅｓ）、ＣＰＵ１０は、メモリデバイスに記憶されている内容（データ）を確認し、取り扱い可能か否かを判断する（ステップＳ１０６）。メモリデバイスに記憶されている内容が取り扱うことができる場合は（ステップＳ１０６；Ｙｅｓ）、ＣＰＵ１０は、関連情報画面４００の移動表示が完了するまで待った後（ステップＳ１０７；Ｙｅｓ）、そのメモリデバイスに関連した画面データ（そのメモリデバイスに記憶された内容に対応した画面データ（情報表示領域４１０））を関連情報画面４００に表示する（ステップＳ１０８）。具体的には、ＣＰＵ１０は、関連情報画面４００の情報表示領域４１０に、ＵＳＢメモリ２１０に記憶されているデータの種類やファイル名などを表示する。
【０１１８】
また、メモリデバイス内のデータを読み取れない、あるいはデータ形式が不明などにより、メモリデバイス内のデータの種類を画像処理装置１００で取り扱うことができない場合は（ステップＳ１０６；Ｎｏ）、ＣＰＵ１０は、関連情報画面４００の移動が完了するまで待った後（ステップＳ１０９；Ｙｅｓ）、画像処理装置１００では取り扱いができない旨を情報表示領域４１０に表示する（ステップＳ１１０）。
【０１１９】
＜ファイルに対する処理の実行＞
図１０は、ＵＳＢメモリ２１０に記憶されたファイルに対して処理を実行させる場合の処理の流れを示している。なお、図３で示した例に沿って処理の流れを説明することとし、前提として、現在、図３（Ａ）の状態にあると仮定する。
【０１２０】
ＣＰＵ１０は、関連情報画面４００においてユーザからの選択操作を待ち受けており、たとえば、「ｄｏｃｕｍｅｎｔ．ｐｄｆ」という名前のファイル７１０が選択され、「Ｐｒｉｎｔ」ボタン４２０や「Ｖｉｅｗ」ボタン４３０などの実行ボタンが押下操作されると（ステップＳ２０１；Ｙｅｓ）、その実行ボタンに応じた処理を実行する（ステップＳ２０２）。
【０１２１】
＜関連情報画面４００を一時消去する処理１＞
ここで、「Ｃｌｏｓｅ」ボタン４５０が押下操作された場合は（ステップＳ２０１；Ｎｏ、ステップＳ２０３；Ｙｅｓ）、ＣＰＵ１０は、ＵＳＢメモリ２１０が外部メモリＩ／Ｆ部９０に挿入された方向と反対方向に関連情報画面４００を移動させ（ステップＳ２０４）、さらに、関連情報画面４００を液晶表示部３００から消去する（ステップＳ２０５）。ＣＰＵ１０は、外部メモリＩ／Ｆ部９０に接続されているＵＳＢメモリ２１０を示すアイコン６３０(図４)を、そのＵＳＢメモリ２１０が外部メモリＩ／Ｆ部９０に接続されている向きと、そのメモリデバイスの種類とが分かるように表示する（ステップＳ２０６）。
【０１２２】
＜メモリデバイスの抜去動作時の処理＞
次に、外部メモリＩ／Ｆ部９０にＵＳＢメモリ２１０が挿入された状態から、ＵＳＢメモリ２１０を抜去する場合について説明する。
【０１２３】
図１１は、ＵＳＢメモリ２１０が外部メモリＩ／Ｆ部９０から抜去されたときの処理の流れを示している。
【０１２４】
ＣＰＵ１０は、外部メモリＩ／Ｆ部９０からＵＳＢメモリ２１０がユーザによって抜去されたことを検出すると(ステップＳ３０１；Ｙｅｓ)、抜去動作の検出された外部メモリＩ／Ｆ部９０を特定し、その外部メモリＩ／Ｆ部９０のＩＤを取得する。ＣＰＵ１０は、そのＩＤに基づいて、不揮発メモリ３０のデバイステーブルからその外部メモリＩ／Ｆ部９０の接続端子の向き情報を再度取得して、その抜去動作に対応する関連情報画面４００の移動方向を決定する。ＣＰＵ１０は、抜去動作の検出された外部メモリＩ／Ｆ部９０のＩＤに対応付けられた関連情報画面のＩＤに基づいて、移動表示を行う関連情報画面４００を特定する。
【０１２５】
ＣＰＵ１０は、その特定した関連情報画面４００を、先ほど決定した移動方向（ＵＳＢメモリ２１０が外部メモリＩ／Ｆ部９０に挿入された方向と反対方向（すなわち抜去された方向））に移動させながら（ステップＳ３０２）、液晶表示部３００から消去する（ステップＳ３０３）。
【０１２６】
したがって、ユーザは、外部メモリＩ／Ｆ部９０からＵＳＢメモリ２１０を抜去し、その抜去動作に対応した関連情報画面４００のスライドアウトを液晶表示部３００上で確認することができるので、抜去されたＵＳＢメモリ２１０と、液晶表示部３００からスライドアウトされた関連情報画面４００の対応関係を直感的に知ることができる。
【０１２７】
＜関連情報画面４００を一時消去する処理２＞
図１２は、図４（Ａ）の状態で関連情報画面４００上のアイコン４６０（図４）がユーザによって選択されたときの処理の流れを示している。ＣＰＵ１０は、アイコン４６０についてユーザによる押下操作を監視しており、ユーザがアイコン４６０を押下操作した場合は（ステップＳ４０１；Ｙｅｓ）、アイコン４６０に対応するＵＳＢメモリ２１０の関連情報画面４００を、ＵＳＢメモリ２１０が外部メモリＩ／Ｆ部９０に挿入された方向と反対方向に移動させながら（ステップＳ４０２）、液晶表示部３００から消去する（ステップＳ４０３）。
【０１２８】
ＣＰＵ１０は、ＵＳＢメモリ２１０が外部メモリＩ／Ｆ部９０に接続されていることを示すアイコン６３０（図４）を、ＵＳＢメモリ２１０が挿入された方向とそのメモリデバイスの種類を示すように液晶表示部３００に表示する（ステップＳ４０４）。
【０１２９】
＜第２の実施の形態＞
上述した第１の実施の形態では、デバイスを外部メモリＩ／Ｆ部９０に挿抜して、その挿抜動作の方向と同一方向に関連情報画面４００を移動させるように、液晶表示部３００上に関連情報画面４００を表示させていた。第２の実施の形態では、デバイスの挿抜方向ではなく、デバイスが接続された外部メモリＩ／Ｆ部９０の位置から液晶表示部３００へ向かう方向に、関連情報画面４００を移動させながら表示させる。
【０１３０】
図１３は、液晶表示部３００に対して右側に位置する外部メモリＩ／Ｆ部９２にＵＳＢメモリ２１０を挿入した場合の表示例である。図１３では、外部メモリＩ／Ｆ部９２が液晶表示部３００の右側に設けられているため、関連情報画面７９０は、液晶表示部３００の右側から左方向に移動するように表示される。
【０１３１】
ここで、液晶表示部３００の左側の位置に外部メモリＩ／Ｆ部９２が設けられていれば、ＣＰＵ１０は、関連情報画面７９０を液晶表示部３００の左側から右方向に移動するように表示する。また、液晶表示部３００の上側に外部メモリＩ／Ｆ部９２が設けられていれば、ＣＰＵ１０は、関連情報画面７９０を液晶表示部３００の上側から下方向に移動するように表示する。また、液晶表示部３００の下側に外部メモリＩ／Ｆ部９２が設けられていれば、ＣＰＵ１０は、関連情報画面７９０を液晶表示部３００の下側から上方向に移動するように表示する。
【０１３２】
このように、第２の実施の形態では、外部メモリＩ／Ｆ部９２が設けられた位置によって関連情報画面７９０の移動する方向が決定されるので、デバイスが外部メモリＩ／Ｆ部９０にどの方向に挿抜動作が行われても、そのデバイスの挿抜方向とは無関係に関連情報画面７９０の移動が表示される。たとえば、液晶表示部３００の右側の位置に設けられた外部メモリＩ／Ｆ部９２の接続端子が、デバイスを下から上方向に、またはデバイスを上から下方向に接続するように設けられていたとしても、関連情報画面７９０は、外部メモリＩ／Ｆ部９２の位置から液晶表示部３００へ向かう方向に、すなわち、液晶表示部３００の右側から左方向に向かって移動しながら出現する。
【０１３３】
図１３では、外部メモリＩ／Ｆ部９２が液晶表示部３００の右側に設けられており、ＵＳＢメモリ２１０の挿抜方向は、図面上の見た向きで、下から上方向となっている。ＣＰＵ１０は、ＵＳＢメモリ２１０が外部メモリＩ／Ｆ部９２に挿入された挿入動作を検出すると、外部メモリＩ／Ｆ部９２から液晶表示部３００へ向かう方向に関連情報画面７９０を移動させながら表示する。また、ＣＰＵ１０は、ＵＳＢメモリ２１０が外部メモリＩ／Ｆ部９２から抜去された抜去動作を検出すると、外部メモリＩ／Ｆ部９２から液晶表示部３００へ向かう方向と反対方向に、関連情報画面７９０を移動させながら液晶表示部３００から関連情報画面７９０を消去する。
【０１３４】
なお、この第２の実施の形態に係る関連情報画面７９０の表示内容は、図２で説明した関連情報画面４００の表示内容と同一であるため、説明を省略する。
【０１３５】
また、第２の実施の形態における処理の流れ図が第１の実施の形態における処理の流れ図と異なる点は、図９のステップＳ１０２において、関連情報画面４００を移動しながら表示する点である。すなわち、第１の実施の形態では、外部メモリＩ／Ｆ部９０に挿入されたＵＳＢメモリ２１０の挿入方向へ関連情報画面４００を移動させていたが、第２の実施の形態では、外部メモリＩ／Ｆ部９２の位置から液晶表示部３００へ向かう方向に関連情報画面７９０を移動させている。それ以外は同様である。そのため、第１の実施の形態に係る図９の流れ図において、たとえば、ステップＳ１０２の「挿入された方向へ関連情報画面を移動しながら表示」を「外部メモリＩ／Ｆ部の位置から液晶表示部へ向かう方向へ関連情報画面を移動しながら表示」と読み替えることにより、図９の流れ図を第２の実施の形態に係る流れ図として扱うことができる。
【０１３６】
＜液晶表示部の右下に外部メモリＩ／Ｆ部が位置する場合の移動表示＞
次に、外部メモリＩ／Ｆ部９３が、液晶表示部３００の右下の位置に設けられた場合について説明する。
【０１３７】
図１４は、液晶表示部３００の右下の位置に設けられた外部メモリＩ／Ｆ部９３にＵＳＢメモリ２１０を挿入した場合の表示例である。図１４では、挿入時にはズームインにより関連情報画面８００を移動しながら拡大させ、抜去時にはズームアウトにより関連情報画面８００を移動しながら縮小させる。
【０１３８】
なお、ズームインとは、ここでは関連情報画面８００を次第に拡大表示することをいい、ズームアウトとは、ここでは関連情報画面８００を次第に縮小表示することをいう。また、本実施の形態では、関連情報画面８００の中心が移動しながらズームインが行われ、関連情報画面８００を消去する際は、関連情報画面８００の中心を移動させながらズームアウトを行うものとする。
【０１３９】
関連情報画面８００は、図１４（Ａ）、図１４（Ｂ）、図１４（Ｃ）の順に関連情報画面８００の中心が移動しながらズームインが行われ、液晶表示部３００に表示される。図１４（Ｃ）は、液晶表示部３００上で関連情報画面８００の移動が完了し、関連情報画面８００が停止した状態を示している。図１４（Ｃ）の関連情報画面８００が図２（Ｃ）の関連情報画面４００と異なる点は、ズームイン／ズームアウトによって移動表示される点と、液晶表示部３００の右下の角の内側に関連情報画面８００の右辺と下辺が隣接し、かつ関連情報画面８００がその右下の角に偏せて停止する点と、アイコン８２０が配置される位置が異なる点である。それ以外は、図２の場合と同様である。なお、アイコン８２０は、ＵＳＢメモリ２１０を模した図柄を表示し、ＵＳＢメモリ２１０が挿入された外部メモリＩ／Ｆ部９３の位置を示すように液晶表示部３００の右下に配置されている。また、情報表示領域８１０は、情報表示領域４１０（図２）と同等の機能を有する領域である。
【０１４０】
以上説明したように、上述した第１の実施の形態では、ＣＰＵ１０は、メモリデバイスの挿抜動作を検出したとき、ユーザによるメモリデバイスの挿抜動作と同一方向にそのメモリデバイスに対応する関連情報画面４００を移動するように表示する。したがって、表示される関連情報画面４００により、どの方向に挿抜動作が行われたメモリデバイスであるかをユーザに直感的に分かりやすく表示することができる。
【０１４１】
また、上述した第２の実施の形態では、メモリデバイスの挿抜動作を検出したとき、ＣＰＵ１０は、そのメモリデバイスに対応する関連情報画面７９０、８００を、挿抜動作が検出された外部メモリＩ／Ｆ部９２、９３の位置から液晶表示部３００へ向かう方向またはその反対方向に移動するように表示する。したがって、表示される関連情報画面７９０、８００により、液晶表示部３００に対してどの方向に位置する外部メモリＩ／Ｆ部９２、９３に挿抜動作がなされたかをユーザに直感的に分かりやすく表示することができる。
【０１４２】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１４３】
＜デバイス判別後に移動表示開始処理＞
上述した第１の実施の形態では、ＣＰＵ１０は、ＵＳＢメモリ２１０（電子デバイス）が外部メモリＩ／Ｆ部９０に接続されたことを検出したとき、デバイスの種類を確認する前に関連情報画面４００を移動しながら液晶表示部３００に表示していた。本例では、外部メモリＩ／Ｆ部９０にデバイス（電子デバイス）が接続されたとき、ＣＰＵ１０は、外部メモリＩ／Ｆ部９０に接続されたデバイスの種類を判別し、その接続されたデバイスがメモリデバイスの場合には、関連情報画面４００を移動しながら表示する。
【０１４４】
この場合、画像処理装置１００のハードウエアの構成は、第１の実施の形態の場合と同様であり、関連情報画面４００を表示するタイミングのみが異なる。
【０１４５】
図１５は、接続されたデバイスがメモリデバイスであるとＣＰＵ１０が判別した後、関連情報画面４００を移動させながら表示する表示例である。第１の実施の形態と比較して、ＣＰＵ１０は、外部メモリＩ／Ｆ部９０に接続されたデバイスがメモリデバイスであるか否かの判定を、関連情報画面４００の移動開始よりも先に行うようになっている。したがって、本例では、接続されたデバイスの種類を判別するまでは関連情報画面４００の移動を開始しないようになっている。
【０１４６】
なお、図１５（Ａ）では、関連情報画面４００の移動開始時に、外部メモリＩ／Ｆ部９０に挿入されたデバイスがＵＳＢメモリであることが分かっているため、ＣＰＵ１０は、関連情報画面４００の移動を開始する時点で、外部メモリＩ／Ｆ部９０に挿入されたデバイスを示すアイコン（対応絵柄）６３５を表示している。
【０１４７】
次に、図１６に基づいて本例に係る関連情報画面４００の表示処理を説明する。なお、図９と同一の動作を行うところは同一のステップ番号を付してある。
【０１４８】
ＣＰＵ１０は、外部メモリＩ／Ｆ部９０にデバイスが接続された場合は（ステップＳ１０１；Ｙｅｓ）、接続されたデバイスの種類の確認を行う（ステップＳ５０１）。ＣＰＵ１０は、接続されたデバイスがメモリデバイスの場合は（ステップＳ５０２；Ｙｅｓ）、メモリデバイスに対応する関連情報画面４００を、そのメモリデバイスが外部メモリＩ／Ｆ部９０に挿入された方向と同一方向に移動させながら表示する（ステップＳ５０３）。接続されたデバイスがメモリデバイスでない場合は（ステップＳ５０２；Ｎｏ）、ＣＰＵ１０は何も表示しないで終了する。
【０１４９】
なお、以降の処理は、図９のステップＳ１０５以降と同様であるため、その説明は省略する。
【０１５０】
＜データの形式を特定した後に移動表示開始処理＞
関連情報画面４００を表示するタイミングは、上記説明した内容に限定されるものではなく、接続されたメモリデバイスのデータ形式を特定した後に、そのデータを関連情報画面４００に表示しながら関連情報画面４００を移動しながら表示するようにしてもよい。たとえば、図５で説明したサムネイル画像４７５を有する関連情報画面４７０が移動しながら表示する形態は、本例に該当する。
【０１５１】
図１７は、接続されたメモリデバイスに記憶されたデータの形式を特定した後、関連情報画面４００を表示する場合の処理の流れを示している。なお、図９および図１６と同一の動作を行うところは同一のステップ番号を付してある。
【０１５２】
ＣＰＵ１０は、外部メモリＩ／Ｆ部９０にデバイスが接続された場合は（ステップＳ１０１；Ｙｅｓ）、接続されたデバイスの種類の確認を行う（ステップＳ５０１）。ここで、接続されたデバイスがメモリデバイスの場合は（ステップＳ５０２；Ｙｅｓ）、ＣＰＵ１０は、メモリデバイスに記憶されたデータの形式を特定する（ステップＳ６０１）。
【０１５３】
ＣＰＵ１０は、メモリデバイスに記憶されたデータの形式が取り扱い可能な種類の場合は（ステップＳ６０２；Ｙｅｓ）、そのデータの形式が記載された関連情報画面４００に表示する関連した画面データ（メモリデバイスに記憶された内容（情報表示領域４１０））を作成する（ステップＳ６０３）。なお、以降の処理は、図９と同様であるため、説明は省略する。
【０１５４】
なお、第１および第２の実施の形態では、液晶表示部３００の周辺に、外部メモリＩ／Ｆ部９０、９２等の接続端子があることを前提としていた。すなわち、第１および第２の実施の形態では、液晶表示部３００の周辺に外部メモリＩ／Ｆ部９０等の接続端子があることにより、ユーザが外部メモリＩ／Ｆ部９０等にメモリデバイスの挿抜動作を実施すると、ユーザは、その外部メモリＩ／Ｆ部９０に挿抜されたメモリデバイスに対応する関連情報画面４００を、液晶表示部３００上で見ることができる。
【０１５５】
また、外部メモリＩ／Ｆ部９０等の接続端子が液晶表示部３００の周辺にない場合であっても、関連情報画面４００等の移動が完了した後の関連情報画面４００等の位置により、ユーザは、メモリデバイスがどの位置にどの向きで外部メモリＩ／Ｆ部９０に接続されたかを認識することができる。好ましくは、外部メモリＩ／Ｆ部９０、９２、９３などを液晶表示部３００の周辺に分散して設けることが望ましい。
【符号の説明】
【０１５６】
１０…ＣＰＵ（制御部）
２０…画像処理部
３０…不揮発メモリ
４０…ネットワーク通信部
５０…ＲＯＭ
６０…ＲＡＭ
７０…プリンタ部
８０…操作表示部
９０…外部メモリＩ／Ｆ部（接続Ｉ／Ｆ部）
９２…外部メモリＩ／Ｆ部
９３…外部メモリＩ／Ｆ部
１００…画像処理装置（ＭＦＰ）
１１０…内部バス
２００…外部メモリ（電子デイバス）
２１０…ＵＳＢメモリ
２２０…ＳＤカード
２３０…ＵＳＢメモリ
３００…液晶表示部
４００…関連情報画面（表示物）
４１０…情報表示領域
４２０…Ｐｒｉｎｔボタン
４３０…Ｖｉｅｗボタン
４４０…Ｄｅｌｅｔｅボタン
４５０…Ｃｌｏｓｅボタン
４６０…アイコン（表示絵柄）
４６５…アイコン
４７０…関連情報画面
４７５…サムネイル画像
４８０…情報表示領域
４９０…アイコン
５００…関連情報画面
５１０…情報表示領域
５２０…Ｕｐｄａｔｅボタン
５３０…Ｃｌｏｓｅボタン
６００…関連情報画面
６１０…情報表示領域
６２０…アイコン
６３０…アイコン（対応絵柄）
６３５…アイコン（対応絵柄）
７００…フォルダ
７１０…ファイル
７２０…ファイル
７９０…関連情報画面
８００…関連情報画面
８１０…情報表示領域
８２０…アイコン
９００…表示画面
９１０…表示画面
９２０…タスクバー
９３０…タスクバー
９４０…アイコン
９５０…アイコン
９６０…アイコン
９７０…タスクバー
【図１】
0005527552.tif 000002
【図２】
0005527552.tif 000003
【図３】
0005527552.tif 000004
【図４】
0005527552.tif 000005
【図５】
0005527552.tif 000006
【図６】
0005527552.tif 000007
【図７】
0005527552.tif 000008
【図８】
0005527552.tif 000009
【図９】
0005527552.tif 000010
【図１０】
0005527552.tif 000011
【図１１】
0005527552.tif 000012
【図１２】
0005527552.tif 000013
【図１３】
0005527552.tif 000014
【図１４】
0005527552.tif 000015
【図１５】
0005527552.tif 000016
【図１６】
0005527552.tif 000017
【図１７】
0005527552.tif 000018
【図１８】
0005527552.tif 000019
【図１９】
0005527552.tif 000020
【図２０】
0005527552.tif 000021